(57)【要約】  無線通信のための方法、装置、およびコンピュータプログラム製品が提供される。一構成において、装置は、ピア発見信号を要求しトランスミッションがユニキャスト要求を含むかまたはマルチキャスト要求を含むかをインジケートするトランスミッションを送信する。さらに、装置は、トランスミッションに基づいて少なくとも１つのピア発見信号応答を受信する。他の構成において、装置は、ピア発見信号を要求しトランスミッションがユニキャスト要求を含むかまたはマルチキャスト要求を含むかをインジケートするトランスミッションを受信する。さらに、装置は、受信されたトランスミッションに応答しておよびトランスミッションがユニキャスト要求を含むかまたはマルチキャスト要求を含むかのインジケーションに基づいて決定されたリソース上でピア発見信号応答を送信する。
2016538738.tif 000002
【特許請求の範囲】
【請求項１】
無線通信方法であって、
ピア発見信号を要求しトランスミッションがユニキャスト要求またはマルチキャスト要求を含むかどうかをインジケートする前記トランスミッションを送信することと、
前記トランスミッションに基づいて少なくとも１つのピア発見信号応答を受信することと
を備える、無線通信方法。
【請求項２】
前記トランスミッションがユニキャスト要求であるときに第１のパイロットシーケンスを選択することであって、前記トランスミッションは、前記トランスミッションがユニキャスト要求であるときに前記選択された第１のパイロットシーケンスを含む、選択することと、
前記トランスミッションがマルチキャスト要求であるときに第２のパイロットシーケンスを選択することであって、前記第２のパイロットシーケンスは前記第１のパイロットシーケンスと異なり、前記トランスミッションは前記トランスミッションがマルチキャスト要求であるときに前記選択された第２のパイロットシーケンスを含む、選択することと
をさらに備える、請求項１に記載の方法。
【請求項３】
前記トランスミッションがユニキャスト要求であるときに直交パイロットシーケンスのセットのパイロットシーケンスの第１のサブセットから１つまたは複数のパイロットシーケンスを選択することであって、前記トランスミッションは前記トランスミッションがユニキャスト要求であるときにパイロットシーケンスの前記第１のサブセットからの前記選択された１つまたは複数のパイロットシーケンスを含む、選択することと、
前記トランスミッションがマルチキャスト要求であるときに直交パイロットシーケンスの前記セットのパイロットシーケンスの第２のサブセットから１つまたは複数のパイロットシーケンスを選択することであって、パイロットシーケンスの前記第２のサブセットはパイロットシーケンスの前記第１のサブセットと異なり、前記トランスミッションは前記トランスミッションがマルチキャスト要求であるときにパイロットシーケンスの前記第２のサブセットからの前記選択された１つまたは複数のパイロットシーケンスを含む、選択することと
をさらに備える、請求項１に記載の方法。
【請求項４】
前記少なくとも１つのピア発見信号応答は、パイロットシーケンスの前記第２のサブセットからの１つまたは複数のパイロットシーケンスと同時並行して受信される、請求項３に記載の方法。
【請求項５】
ピア発見信号要求を送信しピア発見信号応答を受信するためのリソースのセットを決定することをさらに備え、前記トランスミッションはリソースの前記セットの第１のタイムスロットにおいて送信され、前記少なくとも１つのピア発見信号応答はリソースの前記セットの第２のタイムスロットにおいて受信され、前記第２のタイムスロットはピア発見信号要求を送信しピア発見信号応答を受信するための前記第１のタイムスロット後における次の利用可能なタイムスロットである、請求項１に記載の方法。
【請求項６】
前記トランスミッションがユニキャスト要求であるときに前記少なくとも１つのピア発見信号応答を受信するための前記第２のタイムスロットにおけるリソースの前記セットのリソースのサブセットを決定することであって、リソースの前記サブセットは前記トランスミッションを送信するために利用されるリソースからのアプリオリに知られるマッピングに基づいて決定され、前記少なくとも１つのピア発見信号応答は前記トランスミッションがユニキャスト要求であるときにリソースの前記決定されたサブセットにおいて受信される、決定することをさらに備える、請求項５に記載の方法。
【請求項７】
リソースの前記セットの第３のタイムスロットにおけるトランスミッションをリッスンすることであって、前記第３のタイムスロットはピア発見信号要求を送信しピア発見信号応答を受信するために利用可能である前記第１のタイムスロット前における利用可能なタイムスロットである、リンスンすることと、
ユニキャスト要求である前記第３のタイムスロットにおいて受信されたトランスミッションを決定することと、
ユニキャスト要求のために利用される前記決定されたトランスミッションに対応する前記第３のタイムスロットにおけるリソースのサブセットを決定することと
をさらに備える、請求項５に記載の方法。
【請求項８】
前記第３のタイムスロットにおけるリソースの前記サブセットから前記第１のタイムスロットにおけるリソースの第２のサブセットへのアプリオリに知られるマッピングに基づいて前記第１のタイムスロットにおけるリソースの前記第２のサブセットを決定することと、
リソースの前記第２のサブセット内の全リソースを除くリソースの前記セットの前記第１のタイムスロットにおけるリソースの第３のサブセットを決定することと、
前記トランスミッションを送信するためにリソースの第３のサブセットからリソースの第４のサブセットをランダムに選択することであって、前記トランスミッションはリソースの前記選択された第４のサブセットにおいて送信される、選択することと
をさらに備える、請求項７に記載の方法。
【請求項９】
前記トランスミッションを送信するために前記第１のタイムスロットにおけるリソースの前記セットのリソースのサブセットをランダムに選択することであって、前記トランスミッションは、リソースの前記選択されたサブセットにおいて送信される、請求項５に記載の方法。
【請求項１０】
リソースの前記セットをインジケートする情報を基地局から受信することをさらに備える、請求項５に記載の方法。
【請求項１１】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項１０に記載の方法。
【請求項１２】
無線通信方法であって、
ピア発見信号を要求するもので、トランスミッションがユニキャスト要求またはマルチキャスト要求を含むかどうかをインジケートする前記トランスミッションを受信することと、
前記受信されたトランスミッションに応答して、前記トランスミッションがユニキャスト要求またはマルチキャスト要求であるかどうかのインジケーションに基づいて決定されたリソース上でピア発見信号応答を送信することと
を備える、無線通信方法。
【請求項１３】
前記トランスミッションは前記トランスミッションがユニキャスト要求であるときに第１のパイロットシーケンスを含み、前記トランスミッションがマルチキャスト要求であるときに第２のパイロットシーケンスを含み、前記第２のパイロットシーケンスは前記第１のパイロットシーケンスと異なり、前記方法は前記受信されたトランスミッションが前記第１のパイロットシーケンスまたは前記第２のパイロットシーケンスを含むかどうかに基づいて前記トランスミッションがユニキャスト要求またはマルチキャスト要求であるかどうかを決定することをさらに備える、請求項１２に記載の方法。
【請求項１４】
前記トランスミッションがユニキャスト要求であるときに直交パイロットシーケンスのセットのパイロットシーケンスの第１のサブセットからの１つまたは複数のパイロットシーケンスを含み、前記トランスミッションがマルチキャスト要求であるときに直交パイロットシーケンスの前記セットのパイロットシーケンスの第２のサブセットからの１つまたは複数のパイロットシーケンスを含み、パイロットシーケンスの前記第２のサブセットはパイロットシーケンスの前記第１のサブセットと異なり、前記方法は前記受信されたトランスミッションがパイロットシーケンスの前記第１のサブセットまたはパイロットシーケンスの前記第２のサブセットのいずれからの１つまたは複数のパイロットシーケンスを含むかどうかに基づいて前記トランスミッションがユニキャスト要求またはマルチキャストであるかどうかを決定することをさらに備える、請求項１２に記載の方法。
【請求項１５】
前記ピア発見信号応答はパイロットシーケンスの前記第２のサブセットからの１つまたは複数のパイロットシーケンスと同時並行して送信される、請求項１４に記載の方法。
【請求項１６】
ピア発見信号要求を受信しピア発見信号応答を送信するためのリソースのセットを決定することをさらに備え、前記トランスミッションはリソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項１２に記載の方法。
【請求項１７】
前記トランスミッションは前記第１のタイムスロットにおけるリソースの前記セットのリソースの第１のサブセットにおいて受信され、前記方法は、
前記受信されたトランスミッションにおける前記インジケーションに基づいて前記トランスミッションがユニキャスト要求またはマルチキャスト要求であることを前記受信されたトランスミッションがインジケートするかどうかを決定することと、
前記受信されたトランスミッションがユニキャスト要求であるときに前記ピア発見信号応答を送信するための前記第２のタイムスロットにおけるリソースの前記セットのリソースの第２のサブセットを決定することであって、前記ピア発見信号応答は前記トランスミッションがユニキャスト要求であるときにはリソースの前記決定された第２のサブセットにおいて送信され、リソースの前記第２のサブセットはリソースの前記第１のサブセットからリソースの前記第２のサブセットへのアプリオリに知られるマッピングに基づいて決定される、決定することと
をさらに備える、請求項１６に記載の方法。
【請求項１８】
リソースの前記セットの前記第１のタイムスロットにおけるトランスミッションをリッスンすることと、
ユニキャスト要求である前記第１のタイムスロットにおいて受信されたトランスミッションを決定することと、
ユニキャスト要求のために利用される前記決定されたトランスミッションに対応する前記第１のタイムスロットにおけるリソースのサブセットを決定することと    
をさらに備える、請求項１６に記載の方法。
【請求項１９】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定することと、
リソースの前記第２のサブセット内の全リソースを除くリソースの前記セットの前記第２のタイムスロットにおけるリソースの第３のサブセットを決定することと、
前記トランスミッションがマルチキャスト要求であるときには前記ピア発見信号応答を送信するためにリソースの前記第３のサブセットからリソースの第４のサブセットをランダムに選択することであって、前記トランスミッションは前記トランスミッションがマルチキャスト要求であるときにリソースの前記選択された第４のサブセットにおいて送信される、選択することと
をさらに備える、請求項１８に記載の方法。
【請求項２０】
前記トランスミッションがマルチキャスト要求であるときに前記ピア発見信号応答を送信するために前記第２のタイムスロットにおけるリソースの前記セットのリソースのサブセットをランダムに選択することであって、前記ピア発見信号応答は前記トランスミッションがマルチキャスト要求であるときにリソースの前記選択されたサブセットにおいて送信される、選択することをさらに備える、請求項１６に記載の方法。
【請求項２１】
リソースの前記セットをインジケートする情報を基地局から受信することをさらに備える、請求項１６に記載の方法。
【請求項２２】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項２１に記載の方法。
【請求項２３】
無線通信のための装置であって、
ピア発見信号を要求しトランスミッションがユニキャスト要求またはマルチキャスト要求を含むかどうかをインジケートする前記トランスミッションを受信するための手段と、
前記受信されたトランスミッションに応答し、前記トランスミッションがユニキャスト要求またはマルチキャスト要求を含むかどうかのインジケーションに基づいて決定されたリソース上でピア発見信号応答を送信するための手段と
を備える、無線通信のための装置。
【請求項２４】
前記トランスミッションは、前記トランスミッションがユニキャスト要求であるときには第１のパイロットシーケンスを含み、前記トランスミッションがマルチキャスト要求であるときに第２のパイロットシーケンスを含み、前記第２のパイロットシーケンスは前記第１のパイロットシーケンスと異なり、前記装置は、前記受信されたトランスミッションが前記第１のパイロットシーケンスまたは前記第２のパイロットシーケンスを含むかどうかに基づいて前記トランスミッションがユニキャスト要求またはマルチキャスト要求であるかどうかを決定するための手段をさらに備える、請求項２３に記載の装置。
【請求項２５】
前記トランスミッションは、前記トランスミッションがユニキャスト要求であるときに直交パイロットシーケンスのセットのパイロットシーケンスの第１のサブセットからの１つまたは複数のパイロットシーケンスを含み、前記トランスミッションがマルチキャスト要求であるときには直交パイロットシーケンスの前記セットのパイロットシーケンスの第２のサブセットからの１つまたは複数のパイロットシーケンスを含み、パイロットシーケンスの前記第２のサブセットはパイロットシーケンスの前記第１のサブセットと異なり、前記装置は、前記受信されたトランスミッションがパイロットシーケンスの前記第１のサブセットからの１つまたは複数のパイロットシーケンスまたはパイロットシーケンスの前記第２のサブセットからの１つまたは複数のパイロットシーケンスを含むかどうかに基づいて前記トランスミッションがユニキャスト要求またはマルチキャスト要求であるかどうかを決定するための手段をさらに備える、請求項２３に記載の装置。
【請求項２６】
前記ピア発見信号応答はパイロットシーケンスの前記第２のサブセットからの１つまたは複数のパイロットシーケンスと同時並行して受信される、請求項２５に記載の装置。
【請求項２７】
ピア発見信号要求を受信しピア発見信号応答を送信するためのリソースのセットを決定するための手段をさらに備え、前記トランスミッションは、リソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項２３に記載の装置。
【請求項２８】
前記トランスミッションは前記第１のタイムスロットにおけるリソースの前記セットのリソースの第１のサブセットにおいて受信され、前記装置は、
前記受信されたトランスミッションが、前記受信されたトランスミッションにおける前記インジケーションに基づいて前記トランスミッションがユニキャスト要求またはマルチキャスト要求であることをインジケートするかどうかを決定するための手段と、
前記受信されたトランスミッションがユニキャスト要求であるときに前記ピア発見信号応答を送信するために前記第２のタイムスロットにおけるリソースの前記セットの第２のサブセットを決定するための手段であって、前記ピア発見信号応答は前記トランスミッションがユニキャスト要求であるときにリソースの前記決定された第２のサブセットにおいて送信され、リソースの前記第２のサブセットはリソースの前記第１のサブセットからリソースの前記第２のサブセットへのアプリオリに知られるマッピングに基づいて決定される、手段と
をさらに備える、請求項２７に記載の装置。
【請求項２９】
リソースの前記セットの前記第１のタイムスロットにおけるトランスミッションをリッスンするための手段と、
ユニキャスト要求である前記第１のタイムスロットにおいて受信されたトランスミッションを決定するための手段と、
ユニキャスト要求のために利用される前記決定されたトランスミッションに対応する前記第１のタイムスロットにおけるリソースのサブセットを決定するための手段と
をさらに備える、請求項２７に記載の装置。
【請求項３０】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定するための手段と、
リソースの前記第２のサブセット内の全リソースを除くリソースの前記セットの前記第２のタイムスロットにおけるリソースの第３のサブセットを決定するための手段と、
前記トランスミッションがマルチキャスト要求であるときに前記ピア発見信号応答を送信するためにリソースの前記第３のサブセットからリソースの第４のサブセットをランダムに選択するための手段であって、前記トランスミッションは、前記トランスミッションがマルチキャスト要求であるときにはリソースの前記選択された第４のサブセットにおいて送信される手段と
をさらに備える、請求項２９に記載の装置。
【請求項３１】
前記トランスミッションがマルチキャスト要求であるときには前記ピア発見信号応答を送信するために前記第２のタイムスロットにおけるリソースの前記セットのリソースのサブセットをランダムに選択するための手段であって、前記ピア発見信号応答は前記トランスミッションがマルチキャスト要求であるときにリソースの前記選択されたサブセットにおいて送信される、手段をさらに備える、請求項２７に記載の装置。
【請求項３２】
リソースの前記セットをインジケートする情報を基地局から受信するための手段をさらに備える、請求項２７に記載の装置。
【請求項３３】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信するための手段をさらに備え、前記受信される情報は、前記基地局に送信された前記情報に基づく、請求項３２に記載の装置。
【請求項３４】
無線通信のための装置であって、
メモリと、
前記メモリに結合され、
ピア発見信号を要求するもので、トランスミッションがユニキャスト要求またはマルチキャスト要求を含むかどうかをインジケートする前記トランスミッションを受信し、
前記受信されたトランスミッションに応答し、前記トランスミッションがユニキャスト要求またはマルチキャスト要求であるかどうかのインジケーションに基づいて決定されたリソース上でピア発見信号応答を送信するように構成された少なくとも１つのプロセッサと、を備える、無線通信のための装置。
【請求項３５】
ピア発見信号を要求するもので、トランスミッションがユニキャスト要求またはマルチキャスト要求を含むかどうかをインジケートする前記トランスミッションを受信し、
前記受信されたトランスミッションに応答し、前記トランスミッションがユニキャスト要求またはマルチキャスト要求であるかどうかのインジケーションに基づいて決定されたリソース上でピア発見信号応答を送信するためのコードを備える、コンピュータ可読媒体。
【発明の詳細な説明】
【関連出願の相互参照】
【０００１】
[0001]  本出願は、“ＯＮ−ＤＥＭＡＮＤ，ＲＥＱＵＥＳＴ−ＲＥＳＰＯＮＳＥ  ＢＡＳＥＤ  ＤＩＳＣＯＶＥＲＹ  ＩＮ  ＰＥＥＲ−ＴＯ−ＰＥＥＲ  ＮＥＴＷＯＲＫ”（ピア・ツー・ピアネットワークにおけるオンデマンド要求・応答ベース発見）と題され、２０１３年９月２６日に出願された米国仮特許出願シリアル番号第１４／０３８，７３５号の優先権を主張するもので、その全てが引用によってここに明示的に組み込まれる。
【技術分野】
【０００２】
[0002]  本開示は、一般に通信システムに関し、より具体的には、ピア・ツー・ピア（ＰＳＰ）ネットワークにおけるオンデマンドの要求−応答ベースの発見に関する。
【背景技術】
【０００３】
[0003]  ピア発見は、近傍のピアを発見することが最終目標であるかまたは直接的なＰ２Ｐ通信のための先駆けとして要求されるＰ２Ｐネットワークの１つの中心的な特徴である。バックグラウンド発見はＰ２Ｐネットワークにおいて電力消費および時間−周波数リソースの使用を低減させるために利用し得る。バックグラウンド発見は、ピアが時間−周波数リソース上でゆっくりな周期的なレート（例えば、２０秒ごとに１回）でそれらの存在をブロードキャストし、送信していないときにそれらの近傍におけるその他のピアの存在をリッスン（ｌｉｓｔｅｎ）する。バックグラウンド発見は、特により低いレーテンシーの発見が必要であるときに、非効率的すぎることがある。従って、より低いレーテンシーピア発見のための方法および装置が必要とされる。
【発明の概要】
【０００４】
[0004]  本開示の一態様では、方法、コンピュータプログラム製品、および装置が提供される。装置は、ピア発見信号を要求するトランスミッション（ｔｒａｎｓｍｉｓｓｉｏｎ）であって、このトランスミッションがユニキャスト要求またはマルチキャスト要求を含むかどうかをインジケート(indicating)するものであるトランスミッションを送信する。装置は、トランスミッションに基づいて少なくとも１つのピア発見信号応答を受信する。
【０００５】
[0005]  本開示の一態様では、方法、コンピュータプログラム製品、および装置が提供される。装置は、ピア発見信号を要求するトランスミッションであって、このトランスミッションがユニキャスト要求またはマルチキャスト要求を含むかどうかをインジケートするトランスミッションを受信する。装置は、受信されたトランスミッションに応答しトランスミッションがユニキャスト要求またはマルチキャスト要求を含むかどうかのインジケーション(indication)に基づいて決定されたリソース上でピア発見信号応答を送信する。
【図面の簡単な説明】
【０００６】
【図１】Ｐ２Ｐ通信システムの図である。
【図２】オンデマンドベースピア発見の方法を例示する第１の図である。
【図３】オンデマンドベースピア発見の方法を例示する第２の図である。
【図４】オンデマンドベースピア発見の方法を例示する第３の図である。
【図５】オンデマンドベースピア発見の方法を例示する第４の図である。
【図６】第１の無線通信方法のフローチャートである。
【図７】第２の無線通信方法のフローチャートである。
【図８】第３の無線通信方法のフローチャートである。
【図９】第４の無線通信方法のフローチャートである。
【図１０】例示的な装置内の異なるモジュール／手段／コンポーネント間のデータフローを例示する概念的データフロー図である。
【図１１】処理システムを採用する装置のためのハードウェア実装の例を示す図である。
【発明を実施するための形態】
【０００７】
[0017]  添付された図面と関連して以下に記載された詳細な説明は、様々な構成の説明であることが意図され、ここに説明される概念を実施できる唯一の構成を表すことを意図されない。詳細な説明は、様々な概念に関する完全な理解を提供することを目的とする具体的な詳細を含む。しかしながら、これらの概念は、これらの具体的な詳細なしで実施し得ることが当業者にとって明らかであろう。幾つかの例では、よく知られた構造およびコンポーネントが、該概念を曖昧にすることを回避するためにブロック図の形態で示される。
【０００８】
[0018]  電気通信システムの幾つかの態様が様々な装置および方法を参照してここで提示される。これら装置および方法は、次の詳細な説明で説明され、添付図面において様々なブロック、モジュール、コンポーネント、回路、ステップ、プロセス、アルゴリズム、要素、等（総じて“要素”と呼ばれる）で例示され得る。これら要素は、電子ハードウェア、コンピュータソフトウェア、またはそれらの任意の組み合わせを使用して実装され得る。該要素がハードウェアとしてまたはソフトウェアとして実装されるかどうかは、特定の用途および全体的システムに課せられた設計上の制約に依存する。
【０００９】
[0019]  一例として、要素、または要素の何らかの部分、または複数の要素の組み合わせが、１つまたは複数のプロセッサと共に実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲーテッド（ｇａｔｅｄ）ロジック、ディスクリートハードウェア回路、並びに本開示全体を通じて説明される様々な機能を行うように構成された他の適切なハードウェアを含む。１つまたは複数のプロセッサは、ソフトウェアを実行し得る。ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義に解釈されるものとし、ソフトウェア、ファームウェア、ミドルウェア、マイクロコード、ハードウェア記述言語、または他の何かとして呼ばれるかどうかを問わない。
【００１０】
[0020]  従って、１つまたは複数の例示的な実施形態では、説明される機能が、ハードウェア、ソフトウェア、ファームウェア、またはそれらの任意の組み合わせで実装され得る。ソフトウェアで実装される場合、機能は、コンピュータ可読媒体上の１つまたは複数の命令またはコードとして格納または符号化され得る。コンピュータ可読媒体は、コンピュータ記憶媒体を含む。記憶媒体は、コンピュータによってアクセスされることのできる何らかの利用可能な媒体であり得る。一例として、限定でなく、該コンピュータ可読媒体は、ランダムアクセスメモリ（ＲＡＭ）、読み取り専用メモリ（ＲＯＭ）、）、電気的消去可能プログラマブルＲＯＭ（ＥＥＰＲＯＭ（登録商標））、コンパクトディスク（ＣＤ）ＲＯＭ（ＣＤ−ＲＯＭ）、または他の光学ディスク記憶装置、磁気ディスク記憶装置または他の磁気記憶装置、または、所望のプログラムコードを命令またはデータ構造の形式で搬送又は格納できコンピュータによってアクセスされることのできる何か他の媒体を備え得る。ここで使用されるようにディスク（ｄｉｓｋ及びｄｉｓｃ）は、ＣＤ（ｄｉｓｃ）、レーザーディスク（登録商標）（ｄｉｓｃ）、光ディスク（ｄｉｓｃ）、デジタルバーサタイルディスク（ＤＶＤ）（ｄｉｓｃ）、フロッピー（登録商標）ディスク（ｄｉｓｋ）を含み、ここでｄｉｓｋは通常磁気的にデータを複製するもので、ｄｉｓｃはレーザで光学的にデータを複製するものである。上記の組み合わせも、コンピュータ可読媒体の範疇に含められるべきである。
【００１１】
[0021]  図１は、Ｐ２Ｐ通信システムの図１００である。Ｐ２Ｐ（デバイス・ツー・デバイス（Ｄ２Ｄ）とも呼ばれる）通信システムは、複数の無線デバイス１０４、１０６、１０８、１１０を含む。Ｐ２Ｐ通信システムは、セルラー通信システム、例えばワイヤレスワイドエリアネットワーク（ＷＷＡＮ）、と重複し得る。無線デバイス１０４、１０６、１０８、１１０のうちのいくつかは、ＤＬ／ＵＬ  ＷＷＡＮスペクトルを使用するＰ２Ｐ通信で一緒に通信でき、幾つかは、基地局１０２と通信でき、幾つかは両方を行い得る。例えば、図１に示されるように、無線デバイス１０８、１１０はＰ２Ｐ通信状態にあり、無線デバイス１０４、１０６はＰ２Ｐ通信状態にある。無線デバイス１０４、１０６は基地局１０２と通信することもできる。
【００１２】
[0022]  基地局１０２は、ノードＢ、エボルブドノードＢ（ｅＮＢ）、アクセスポイント、ベーストランシーバ局、無線基地局、無線トランシーバ、トランシーバ機能、ベーシックサービスセット（ＢＳＳ）、拡張サービスセット（ＥＳＳ）、又は何か他の適切な用語で呼ばれ得る。無線デバイスの例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、ビデオデバイス、デジタルオーディオプレーヤー（例えば、ＭＰ３プレーヤー）、カメラ、ゲームコンソール、タブレット、または何か他の同様な機能のデバイスを含む。無線デバイスは、ユーザ装置（ＵＥ）、移動局、加入者局、モバイルユニット、加入者ユニット、無線ユニット、リモートユニット、モバイルデバイス、無線デバイス、無線通信デバイス、リモートデバイス、モバイル加入者局、アクセス端末、モバイル端末、無線端末、遠隔端末、ハンドセット、ユーザエージェント、モバイルクライアント、クライアント、または何か他の適切な用語で当業者によって呼ばれることもあり得る。
【００１３】
[0023]  後に論じられる例示的な方法および装置は、様々な無線Ｐ２Ｐ通信システム、例えばＦｌａｓｈＬｉｎＱに基づく無線Ｐ２Ｐ通信システム、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、またはロングタームエボリューション（ＬＴＥ（登録商標））、のうちのいずれにも適用可能である。しかしながら、当業者は、例示的な方法および装置が様々な他の無線Ｐ２Ｐ通信システムに対してより一般的に適用可能なことを理解するであろう。
【００１４】
[0024]  上で論じられたように、バックグラウンド発見が電力消費および時間−周波数リソースの使用を低減するためにＰ２Ｐネットワークで利用され得る。しかしながら、バックグラウンド発見は、より低いレーテンシーのピア発見を要求する幾つかの使用事例について非効率的であり得る。オンデマンド発見は、より低いレーテンシーのピア発見を提供する。オンデマンド発見では、複数のＵＥがそれらの発見情報を発見情報に対する問い合わせに応答してアナウンスする。例えば、あるＵＥは、品物Ｘの在庫を有する店について問い合わせ得る。品物Ｘの在庫を有する店は、それらの発見情報を送信することによって問い合わせに応答し得る。受信された発見情報に基づき、ＵＥは品物Ｘの在庫を有する店を決定する。ＵＥは、こうした決定をバックグラウンド発見を使用してＵＥが行うよりも速く該決定を行う。方法および装置がオンデマンド発見に関連して以下に提供される。
【００１５】
[0025]  図２は、オンデマンドベースピア発見の方法（またはメディアアクセス制御（ＭＡＣ））を例示する第１の図２００である。図２に示されるように、ＵＥ２０２は、ピア発見信号を要求するトランスミッション２１０を送信する。トランスミッション２１０は、トランスミッション２１０がユニキャスト要求またはマルチキャスト要求を含むかどうかをインジケートする。ユニキャスト要求は、例えば、バックグラウンド発見、オフライン情報、または他の手段を通じて、その身元(identification)が知られた特定のＵＥを対象とする要求である。ユニキャスト要求は、要求が特定のＵＥを対象とすることをインジケートする情報を含むことができおよび／または特定のＵＥ専用の特定の時間−周波数リソース上で送信ができる。マルチキャスト要求は、ＵＥのグループまたは全ＵＥを対象とする要求である。マルチキャスト要求に応答できる（ファンアウト（ｆａｎｏｕｔ）とも呼ばれる）ＵＥの数は、ピア発見信号要求を送信しているＵＥによって知られ得ない。ＵＥ２０４は、ピア発見信号を要求するトランスミッション２１０を受信する。トランスミッション２１０がＵＥ２０４のためのユニキャスト要求またはマルチキャスト要求である場合、ＵＥ２０４が、受信されたトランスミッション２１０に応答してピア発見信号応答２１２を送信することによって応答し得る。ＵＥ２０４は、トランスミッション２１０がユニキャスト要求またはマルチキャスト要求を含むかどうかのインジケーションに基づいてピア発見信号応答２１２を送信するためのリソースを決定し得る。ＵＥ２０４は、決定されたリソース上でピア発見信号応答２１２を送信する。ＵＥ２０６がＵＥ２０２の十分に近傍にある場合、ＵＥ２０６もトランスミッション２１０を受信し得る。トランスミッション２１０がマルチキャスト要求である場合、ＵＥ２０６もピア発見信号応答を送信することによってトランスミッション２１０に応答し得る。従って、ＵＥ２０２は、トランスミッション２１０に基づいて少なくとも１つのピア発見信号応答２１２、２１４を受信し得る。
【００１６】
[0026]  複数のＵＥのうちのいくつかは、基地局２５０と通信状態にあり得る。例えば、図２に示されるように、ＵＥ２０２およびＵＥ２０４が基地局２５０と通信状態にある。ＵＥ２０２、２０４は、オンデマンド発見リソースの使用に関して基地局２５０にフィードバックを提供し得、オンデマンド発見のための利用可能な／割り当てられたオンデマンドリソースに関して基地局２５０から情報を受信し得る。
【００１７】
[0027]  図３は、オンデマンドベースピア発見の方法を例示する第２の図３００である。図３に示されるように、ピア発見信号要求を送信してピア発見信号応答を受信するために利用可能なタイムスロット（すなわち、ピア発見のために使用される）は、Ｍでインジケートされ、ピア発見信号要求を送信しピア発見信号応答を受信するために利用不能なタイムスロット（すなわち、ピア発見のために使用されない）は、インジケーションを有しない。一構成において、図２に関連して論じられるオンデマンドピア発見は、ピア発見信号要求およびピア発見信号応答のために利用可能であるインターリーブされたタイムスロット（Ｍでインジケートされる）において発生し、従って、ピア発見信号応答は、ピア発見信号要求が受信されたタイムスロット後における次の利用可能なタイムスロットにおいて送信される。図３を参照すると、ＵＥ−Ａは、第１のタイムスロット３０２においてピア発見信号要求を送信する。ピア発見信号要求がＵＥ−Ｂに関するユニキャスト要求であると仮定する。ＵＥ−Ｂがピア発見信号要求を成功裏に受信して復号した場合、ＵＥ−Ｂが、第２のタイムスロット３０４においてピア発見信号応答を送信する。第２のタイムスロット３０４は、ピア発見信号要求を送信しピア発見信号応答を受信するための第１のタイムスロット３０２後における次の利用可能なタイムスロットである。しかしながら、図３に示されるように、ＵＥ−Ｂは、第１のタイムスロット３０２においてピア発見信号要求を成功裏に受信して復号せず、従って、第２のタイムスロット３０４においてピア発見信号応答を送信しない。ＵＥ−Ａは、第２のタイムスロット３０４においてＵＥ−Ｂからピア発見信号応答を受信しないため、ＵＥ−Ａは、第３のタイムスロット３０６においてピア発見信号要求を再送信する。ＵＥ−Ｂは、第３のタイムスロット３０６において受信されたピア発見信号要求を成功裏に受信して復号し、第４のタイムスロット３０８においてピア発見信号応答を送信する。ＵＥは、ピア発見信号要求を受信した後における次の利用可能なタイムスロットにおいてピア発見信号応答を送信するため、ピア発見信号要求を送信しているＵＥは、ユニキャストピア発見信号要求が適切に受信されないときを決定でき、該ユニキャストピア発見信号要求を再送信できる。
【００１８】
[0028]  図４は、オンデマンドベースピア発見の方法を例示する第３の図４００である。一構成において、ＵＥは、特定の直交パイロットシーケンスとともにピア発見信号要求を送信することによってピア発見信号要求がユニキャスト要求またはマルチキャスト要求であるかどうかをインジケートする。ＵＥは、要求がユニキャスト要求であるときに直交パイロットシーケンスの第１のセットＰ１からパイロットシーケンスを選択でき、要求がマルチキャスト要求であるときに直交パイロットシーケンスの第２のセットＰ２からパイロットシーケンスを選択できる。直交シーケンスの第１及び第２のセットは、共通のパイロットシーケンスを有さないことがあり（すなわち、Ｐ１∩Ｐ２＝φ）、パイロットシーケンスの第１および第２のセットは、全てが互いに直交である直交パイロットシーケンスのセットＰのサブセットであり得る（すなわち、Ｐ１、Ｐ２⊂Ｐ）。ＵＥは、リソースブロック４０６内でピア発見信号要求を送信できる。リソースブロック４０６は、複数のリソース要素を含むことができ、各々は、特定のシンボル（例えば、単一搬送波周波数分割多元接続（ＳＣ−ＦＤＭＡシンボル）および副搬送波において存在する。リソース要素４０２のうちの一部は、ピア発見信号要求のデータ／制御情報を含み、リソース要素４０４のうちの一部は、基準／パイロット信号を含む。ＵＥは、ピア発見信号要求を含むリソースブロック４０６内のリソース要素４０４内の選択されたパイロットシーケンスを送信できる。ＵＥがユニキャストピア発見信号要求およびピア発見信号応答を区別できるようにするために、ＵＥは、直交パイロットシーケンスの第２のセットＰ２から選択されたパイロットシーケンスとともに全ピア発見信号応答を送信できる。従って、ＵＥは、直交パイロットシーケンスの第１のセットＰ１から選択されたパイロットシーケンスとともにユニキャストピア発見信号要求を送信でき、および、直交パイロットシーケンスの第２のセットＰ２から選択されたパイロットシーケンスとともにマルチキャストピア発見信号要求およびユニキャスト／マルチキャストピア発見信号応答を送信できる。ＵＥは、チャネル推定および復号のために受信されたパイロットシーケンスを依然として利用できる。パイロットシーケンスは、データ／制御情報が保護されている場合でも、全てのＵＥによって検出可能である。従って、ＵＥは、リソースブロック４０６で受信されたパイロットシーケンスがユニキャスト要求と関連するかまたは関連しないかどうかを決定し得る。トランスミッションがユニキャスト要求であるかどうかをインジケートするためのパイロットシーケンスの使用は、チャネル推定および復号が影響を受けないことを保証する。
【００１９】
[0029]  図５は、オンデマンドベースピア発見の方法を例示する第４の図５００である。第１の構成において、ユニキャストピア発見信号応答のためのリソースは、ユニキャストピア発見信号要求が送信／受信されるリソースと１対１でリンクされ得る。従って、ユニキャストピア発見信号応答リソースＲｕｒｅｓｐは、ユニキャストピア発見信号要求リソースＲｕｒｅｑの関数である（すなわち、Ｒｕｒｅｓｐ＝ｆ（Ｒｕｒｅｑ））。ユニキャストピア発見信号応答リソースＲｕｒｅｓｐがユニキャストピア発見信号要求リソースＲｕｒｅｑの関数であるとき、複数のユニキャストピア発見信号応答が、それら自体の間で衝突しないように保護される。衝突（同じリソースが使用される）は、各々の受信されたユニキャストピア発見信号要求に応答するために一意のユニキャストピア発見信号応答リソースＲｕｒｅｓｐが提供されるため回避される。第２の構成において、ＵＥは、全ての時間−周波数リソース上でリッスンし、進行中のユニキャスト要求を用いてリソースを決定する。第３の構成において、ユニキャスト要求、マルチキャスト要求、およびマルチキャスト応答トランスミッション（非ユニキャスト応答トランスミッション）に関して、ＵＥは、ユニキャスト応答が予想されるリソースを回避するトランスミッションのためにリソースを選択する。該構成は、可能なときに、その他のトランスミッションと衝突することからユニキャスト応答トランスミッションを保護する。
【００２０】
[0030]  図５を参照し、第１の構成に関して、ＵＥ２０２は、ピア発見信号要求を送信しピア発見信号応答を受信するためのリソース５４０のセットを決定する。ＵＥ２０２は、リソース５４０のセットのタイムスロット５１０においてピア発見信号要求２１０を送信し、リソース５４０のセットのタイムスロット５２０において少なくとも１つのピア発見信号応答２１２、２１４を受信する。タイムスロット５２０は、ピア発見信号要求を送信しピア発見信号応答を受信するためのタイムスロット５１０後における次の利用可能なタイムスロットである。例えば、ＵＥ２０２がＵＥ２０４にリソース５１２でユニキャストピア発見信号要求２１０を送信する場合、ＵＥ２０２が、ＵＥ２０４からリソース５２２でユニキャストピア発見信号応答２１２を受信できる。他の例に関して、ＵＥ２０２がリソース５１２でマルチキャストピア発見信号要求２１０を送信する場合、ＵＥ２０２が、ＵＥ２０４からリソース５２４でマルチキャストピア発見信号応答２１２を受信でき、ＵＥ２０６からリソース５２６においてマルチキャストピア発見信号応答２１４を受信できる。ＵＥ２０２がユニキャストピア発見信号要求２１０を送信するとき、ＵＥ２０２が、ユニキャストピア発見信号応答２１２を受信するためのタイムスロット５２０におけるリソース５４０のセットのリソース５２２のサブセットを決定する。上記のように、リソース５２２のサブセット（Ｒｕｒｅｓｐ）は、ピア発見信号要求２１０を送信するために利用されるリソース５１２（Ｒｅｒｅｑ）からのアプリオリに（ａ  ｐｒｉｏｒｉ）知られるマッピングに基づいて決定される。
【００２１】
[0031]  第２の構成に関して、ＵＥ２０２は、リソース５４０のセットのタイムスロット５３０におけるトランスミッションをリッスンできる。タイムスロット５３０は、ピア発見信号要求を送信しピア発見信号応答を受信するために利用可能であるタイムスロット５１０前における利用可能なタイムスロットである。ＵＥ２０２は、ユニキャスト要求であるタイムスロット５３０において受信されたトランスミッションを決定し、ユニキャスト要求のために利用される決定されたトランスミッションに対応するタイムスロット５３０におけるリソースのサブセットを決定する。例えば、ＵＥ２０２は、リソース５３４、５３８で受信されたトランスミッションがユニキャスト要求であり、他方、リソース５３６、５３３、５３１で受信されたトランスミッションがユニキャスト要求でない（すなわち、リソース５３６、５３３、５３１で受信されたトランスミッションがユニキャスト応答、マルチキャスト要求、および／またはマルチキャスト応答である）と決定できる。タイムスロット５３０においてユニキャスト要求を搬送するリソース５３４、５３８に基づき、ＵＥ２０２は、タイムスロット５１０内においてピア発見信号要求２１０を送信するためのリソースを決定できる。
【００２２】
[0032]  第３の構成に関して、ＵＥ２０２は、タイムスロット５３０におけるリソース５３４、５３８のサブセットからタイムスロット５１０におけるリソース５１４、５１８の第２のサブセットへのアプリオリに知られるマッピングに基づいてタイムスロット５１０におけるリソース５１４、５１８の第２のサブセットを決定できる。リソース５１４は、リソース５３４でのユニキャストピア発見信号要求に応答するユニキャストピア発見信号応答専用である。同様に、リソース５１８は、リソース５３８でのユニキャストピア発見信号要求に応答するユニキャストピア発見信号応答専用である。ＵＥ２０２は、リソース５１４、５１８の第２のサブセット内の全リソースを除くリソース５４０のセットのタイムスロット５１０におけるリソースの第３のサブセットを決定する。リソースの第３のサブセットは、リソース５１４、５１８の第２のサブセットを除くタイムスロット５１０における全リソースを含む。従って、タイムスロット５１０におけるリソースの第３のサブセットは、ユニキャストピア発見信号応答が予想されないリソースを含む（リソースの第３のサブセット内のリソースは、利用できないまたはユニキャストピア発見信号要求、マルチキャストピア発見信号要求、またはマルチキャストピア発見信号応答のために利用できる）。次に、ＵＥ２０２は、ピア発見信号要求２１０を送信するためにリソースの第３のサブセットからリソース５１２の第４のサブセットをランダムに選択する。ＵＥ２０２は、ピア発見信号要求２１０のためにランダムにリソースを選択するため、ＵＥは、ユニキャスト要求が（他のＵＥによって）送信されるリソース５１３またはマルチキャスト応答が（他のＵＥによって）送信されるリソース５１３を選択するでき、ただし、選択から除外されたリソース５１４、５１８は選択できない。従って、この構成は、ユニキャスト応答トランスミッションのみを他のトランスミッションと衝突しないように保護でき、他のトランスミッション、例えば、ユニキャスト要求トランスミッション、マルチキャスト要求トランスミッション、およびマルチキャスト応答トランスミッションを保護できない。
【００２３】
[0033]  代替として、ユニキャスト応答が予想されるリソースを回避するのではなく、ＵＥ２０２は、ピア発見信号要求２１０を送信するためにタイムスロット５１０におけるリソース５４０のセットのリソースのサブセットをランダムに選択できる。例えば、リソース５１４、５１８を除くタイムスロット５１０におけるリソースからリソースをランダムに選択するのではなく、ＵＥ２０２は、リソース５１４または５１８のうちの１つを選択することになり、その結果、２つの異なるＵＥによる衝突（同じリソースが使用される）が生じることになる。しかしながら、該衝突は、それらＵＥが互いに十分に遠く離れている場合に、衝突しているリソースを利用している（衝突しているリソース上で送信または受信している）ＵＥにとってそれほど有害であり得ない。
【００２４】
[0034]  図５を再度参照し、第１の構成に関して、ＵＥ２０４は、ピア発見信号要求を受信しピア発見信号応答を送信するためのリソース５４０のセットを決定する。ＵＥ２０４は、リソース５４０のセットのタイムスロット５１０においてピア発見信号要求２１０を受信し、リソース５４０のセットのタイムスロット５２０においてピア発見信号応答２１２を送信する。タイムスロット５２０は、ピア発見信号要求を受信しピア発見信号応答を送信するためのタイムスロット５１０後における次の利用可能なタイムスロットである。例えば、ＵＥ２０４が、ＵＥ２０２からリソース５１２でユニキャストピア発見信号要求２１０を受信する場合、ＵＥ２０４が、ＵＥ２０２にリソース５２２でユニキャストピア発見信号応答２１２を送信できる。他の例に関して、ＵＥ２０４がリソース５１２でマルチキャストピア発見信号要求２１０を受信する場合、ＵＥ２０４が、ＵＥ２０２にリソース５２４でマルチキャストピア発見信号応答２１２を送信できる。ＵＥ２０４がタイムスロット５１０におけるリソース５４０のセットのリソース５１２の第１のサブセットにおいてピア発見信号要求２１０を受信すると仮定する。ＵＥ２０４は、リソース５１２における受信されたピア発見信号要求２１０が、このピア発見信号要求２１０がユニキャスト要求またはマルチキャスト要求であることのインジケートをするかどうかを決定する。ピア発見信号要求２１０がユニキャスト要求であるとＵＥ２０４が決定したとき、ＵＥ２０４が、ピア発見信号応答を送信するためにタイムスロット５２０におけるリソース５４０のセットのリソース５２２の第２のサブセットを決定する。上記のように、リソース５２２の第２のサブセット（Ｒｕｒｅｓｐ）は、リソース５１２の第１のサブセット（Ｒｕｒｅｑ）からリソース５２２の第２のサブセット（Ｒｕｒｅｓｐ）へのアプリオリに知られるマッピングに基づいて決定される。
【００２５】
[0035]  第２の構成に関して、ＵＥ２０４は、リソース５４０のセットのタイムスロット５１０におけるトランスミッションをリッスンできる。ＵＥ２０４は、ユニキャスト要求であるタイムスロット５１０において受信されたトランスミッションを決定し、ユニキャスト要求のために利用される決定されたトランスミッションに対応するタイムスロット５１０におけるリソースのサブセットを決定する。例えば、ＵＥ２０４は、リソース５１３で受信されたトランスミッションがユニキャスト要求であると決定できる。タイムスロット５１０においてユニキャスト要求を搬送するリソース５１３に基づき、ＵＥ２０４は、タイムスロット５２０内においてマルチキャストピア発見信号応答を送信するためのリソースを決定できる。
【００２６】
[0036]  第３の構成に関して、ＵＥ２０４は、タイムスロット５１０におけるリソース５１３のサブセット（Ｒｕｒｅｑ）からタイムスロット５２０におけるリソース５２３の第２のサブセット（Ｒｕｒｅｓｐ）へのアプリオリに知られるマッピングに基づいてタイムスロット５２０におけるリソース５２３の第２のサブセット（Ｒｕｒｅｓｐ）を決定する。すなわち、ＵＥ２０４は、リソース５２３がリソース５１３にリンクされており、リソース５１３でのピア発見信号要求に応答するピア発見信号応答専用であると決定できる。ＵＥ２０４は、リソース５２３の第２のサブセット内の全リソースを除くリソース５４０のセットのタイムスロット５２０におけるリソースの第３のサブセットを決定する。リソースの第３のサブセットは、リソース５２３の第２のサブセットを除くタイムスロット５２０における全リソースを含む。従って、タイムスロット５２０におけるリソースの第３のサブセットは、ユニキャストピア発見信号応答が受信されないリソースを含む（リソースの第３のサブセットにおけるリソースは利用されない、またはユニキャストピア発見信号要求、マルチキャストピア発見信号要求、またはマルチキャストピア発見信号応答のために利用され得る）。マルチキャストピア発見信号応答を送信するときに、ＵＥ２０４は、ピア発見信号応答２１２を送信するためにリソースの第３のサブセットからリソース５２４の第４のサブセットをランダムに選択する。ＵＥ２０４は、ピア発見信号応答２１２のためにランダムにリソースを選択するため、ＵＥ２０４は、マルチキャスト応答が（ＵＥ２０６によって）送信されるリソース５２６を選択できるが、選択から除外されたリソース５２３を選択できない。従って、この構成は、ユニキャスト応答トランスミッションのみをその他のトランスミッションと衝突しないように保護するでき、他のトランスミッション、例えば、ユニキャスト要求トランスミッション、マルチキャスト要求トランスミッション、およびマルチキャスト応答トランスミッション、を保護できない。
【００２７】
[0037]  代替として、ユニキャスト応答が予想されるリソースを回避するのでなく、ＵＥ２０４は、ピア発見信号応答２１２がマルチキャスト応答であるときにピア発見信号応答２１２を送信するためにタイムスロット５２０におけるリソース５４０のセットのリソースのサブセットをランダムに選択できる。例えば、リソース５２３を除くタイムスロット５２０におけるリソースからリソースをランダムに選択するのでなく、ＵＥ２０４は、タイムスロット５２０における全リソースからタイムスロット５２０におけるリソースをランダムに選択できる。この構成では、ＵＥ２０４が、リソース５２３を選択することになり、その結果、２つの異なるＵＥによる衝突（同じリソースが使用される）が生じることになる。しかしながら、該衝突は、衝突しているリソースを利用している（衝突しているリソース上で送信または受信している）ＵＥが互いに十分に遠く離れている場合に、それらのＵＥにとってそれほど有害であり得ない。
【００２８】
[0038]  図２を再度参照すると、ＵＥ２０２、２０４は、（例えば、リソース上の電力を検出することによる）進行中のトランスミッションを有するリソース５４０のセット内の平均リソース数、進行中のユニキャスト要求を有するリソース５４０のセット内の平均リソース数、および／または、マルチキャスト要求への応答のために利用されるリソース５４０のセット内の平均リソース数（例えば、一意の応答が（ファンアウトを推定するために）マルチキャスト要求者によって受信されるリソースの数）に関して基地局２５０にフィードバックを提供できる。ＵＥ２０２、２０４は、遅いレートで（例えば、何百ものオンデマンド発見サイクル）フィードバックを提供できる。受信された情報を用いて、基地局２５０は、システム内のユニキャストおよびマルチキャスト要求および応答の数（システム負荷）を推定し、オンデマンド発見リソースの数を必要に応じて増加／減少できる。基地局２５０は、割り当ての変更（リソース５４０のセットのインジケーション）をシステム情報ブロック（ＳＩＢ）の一部として送信できる。
【００２９】
[0039]  図６は、第１の無線通信方法のフローチャート６００である。方法は、ＵＥ、例えば、ＵＥ２０２、によって行われ得る。ステップ６０２において、ＵＥは、トランスミッションがユニキャスト要求であるときに第１のパイロットシーケンスを選択でき、トランスミッションがマルチキャスト要求であるときに第２のパイロットシーケンスを選択できる。第２のパイロットシーケンスは、第１のパイロットシーケンスと異なる。具体的には、ステップ６０２において、ＵＥは、トランスミッションがユニキャスト要求であるときに直交パイロットシーケンスのセットＰのパイロットシーケンスの第１のサブセットＰ１から１つまたは複数のパイロットシーケンスを選択でき、トランスミッションがマルチキャスト要求であるときに直交パイロットシーケンスのセットＰのパイロットシーケンスの第２のサブセットＰ２から１つまたは複数のパイロットシーケンスを選択できる。パイロットシーケンスの第２のサブセットＰ２は、パイロットシーケンスの第１のサブセットＰ１と異なる（すなわち、Ｐ１∩Ｐ２＝φ）。ステップ６０４において、ＵＥは、ピア発見信号要求を送信しピア発見信号応答を受信するためのリソース５４０のセットを決定できる。ＵＥは、リソース５４０のセットをインジケートする情報を基地局に送信できる。該構成においては、ＵＥは、トランスミッションを有するリソース５４０のセット内の平均リソース数、ユニキャスト要求のために利用されるリソース５４０のセット内の平均リソース数、または、マルチキャスト要求への応答のために利用されるリソース５４０のセット内の平均リソース数のうちの少なくとも１つをインジケートする情報を基地局に送信できる。ＵＥが基地局から受信する情報は、基地局に送信された情報に基づく。ステップ６０６において、ＵＥは、ピア発見信号を要求して、トランスミッション２１０がユニキャスト要求またはマルチキャスト要求を含むかどうかをインジケートするトランスミッション２１０を送信する。トランスミッションは、選択されたパイロットシーケンスを含み得、リソース５４０のセットのタイムスロット５１０において送信し得る。ステップ６０８において、ＵＥは、トランスミッションに基づいて少なくとも１つのピア発見信号応答２１２、２１４を受信する。少なくとも１つのピア発見信号応答２１２、２１４は、リソース５４０のセットのタイムスロット５２０において受信し得る。タイムスロット５２０は、ピア発見信号要求を送信しピア発見信号応答を受信するためのタイムスロット５１０後における次の利用可能なタイムスロットである。ステップ６０８において、ＵＥは、パイロットシーケンスの第２のサブセットＰ２からの１つまたは複数のパイロットシーケンスと同時並行して少なくとも１つのピア発見信号応答２１２、２１４を受信し得る。上記のように、ユニキャストピア発見信号要求のみが、パイロットシーケンスの第１のサブセットＰ１からのパイロットシーケンスを含み得る。ユニキャストピア発見信号応答、マルチキャストピア発見信号要求、およびマルチキャストピア発見信号応答は、パイロットシーケンスの第２のサブセットＰ２からのパイロットシーケンスを含み得る。従って、少なくとも１つの��ア発見信号応答２１２、２１４は、パイロットシーケンスの第２のサブセットＰ２からのパイロットシーケンスを含み得る。
【００３０】
[0040]  図７は、第２の無線通信方法のフローチャート７００である。方法は、ＵＥ、例えば、ＵＥ２０２、によって行われ得る。ステップ７０２において、ＵＥは、リソース５４０のセットのタイムスロット５３０におけるトランスミッションをリッスンする。タイムスロット５３０は、ピア発見信号要求を送信しピア発見信号応答を受信するために利用可能であるタイムスロット５１０前における利用可能なタイムスロットである。ステップ７０４において、ＵＥは、ユニキャスト要求であるタイムスロット５３０において受信されたトランスミッションを決定する。ステップ７０６において、ＵＥは、ユニキャスト要求のために利用される決定されたトランスミッションに対応するタイムスロット５３０におけるリソースのサブセットを決定する。例えば、図５を参照すると、ＵＥは、タイムスロット５３０におけるリソース５３４、５３８がユニキャスト要求のために利用されると決定し得る。ステップ７０８において、ＵＥは、タイムスロット５３０におけるリソースのサブセットからタイムスロット５１０におけるリソースの第２のサブセットへのアプリオリに知られるマッピングに基づいてタイムスロット５１０におけるリソースの第２のサブセットを決定する。例えば、図５を参照し、ＵＥは、リソース５１４、５１８がリソース５３４、５３８とそれぞれリンクされおよびリソース５３４、５３８からマッピングすると決定し得る。ステップ７１０において、ＵＥは、リソースの第２のサブセットにおける全リソースを除くリソース５４０のセットのタイムスロット５１０におけるリソースの第３のサブセットを決定する。例えば、図５を参照すると、ＵＥは、リソースの第３のサブセットがリソース５１４、５１８を除くタイムスロット５１０における全リソースを含むと決定し得る。ステップ７１２において、ＵＥは、トランスミッションを送信するためにリソースの第３のサブセットからリソースの第４のサブセットをランダムに選択する。トランスミッションは、リソースの選択された第４のサブセットにおいて送信される（図６のステップ６０６を参照）。例えば、リソースの第３のサブセットから、ＵＥは、リソース５１２をランダムに選択できる。従って、リソースの第４のサブセットは、リソース５１２である。リソース５１４、５１８は、リソースの第４のサブセットがランダムに選択されたリソースの第３のサブセットから除外されたため、ＵＥは、それらのリソースを選択することを避ける。ステップ７１４において、ＵＥは、トランスミッションがユニキャスト要求であるときに少なくとも１つのピア発見信号応答を受信するためにタイムスロット５２０におけるリソース５４０のセットのリソースのサブセットを決定する。リソースのサブセットは、トランスミッションを送信するために利用されるリソースからのアプリオリに知られるマッピングに基づいて決定される。少なくとも１つのピア発見信号応答は、トランスミッションがユニキャスト要求であるときにリソースの決定されたサブセットにおいて受信される。例えば、図５を参照すると、タイムスロット５２０のリソース５２２は、リソース５１２がユニキャスト要求を搬送するときにタイムスロット５１０のリソース５１２���リンクされおよびタイムスロット５１０のリソース５１２からマッピングされる。従って、リソース５１２がユニキャストピア発見信号要求のために利用される場合、ＵＥが、ユニキャストピア発見信号要求に応答するユニキャストピア発見信号応答をリソース５２２において受信できると決定する。
【００３１】
[0041]  一構成において、ＵＥは、ステップ７０２乃至７１２を行い得ない。代わりに、ＵＥは、トランスミッションを送信するためにタイムスロット５１０におけるリソース５４０のセットのリソースのサブセットをランダムに選択できる。すなわち、ＵＥは、トランスミッションを送信するためにタイムスロット５１０におけるリソースのうちのいずれかをランダムに選択できる。この構成では、ＵＥが、それらリソース上のユニキャスト応答と衝突するリソース５１４、５１８のうちの１つをランダムに選択できる。該衝突は、衝突しているリソースを利用しているＵＥが互いに十分に遠く離れている場合に、それらのＵＥにとってそれほど有害であり得ない。
【００３２】
[0042]  図８は、第３の無線通信方法のフローチャート８００である。方法は、ＵＥ、例えば、ＵＥ２０４、によって行われ得る。ステップ８０２において、ＵＥは、ピア発見信号要求を受信しピア発見信号応答を送信するためのリソース５４０のセットを決定する。ＵＥは、リソース５４０のセットをインジケートする情報を基地局から受信し得る。ＵＥは、トランスミッションを有するリソース５４０のセット内の平均リソース数、ユニキャスト要求のために利用されるリソース５４０のセット内の平均リソース数、または、マルチキャスト要求への応答のために利用されるリソース５４０のセット内の平均リソース数のうちの少なくとも１つをインジケートする情報を基地局に送信できる。基地局から受信される情報は、基地局に送信された情報に基づき得る。ステップ８０４において、ＵＥは、ピア発見信号を要求するもので、トランスミッション２１０がユニキャスト要求またはマルチキャスト要求を含むかどうかをインジケートするトランスミッション２１０を受信する。トランスミッション２１０は、リソース５４０のセットのタイムスロット５１０において受信される。特に、トランスミッションは、タイムスロット５１０におけるリソース５４０のセットのリソースの第１のサブセットにおいて受信される。例えば、図５を参照すると、リソースの第１のサブセットがリソース５１２である。ステップ８０６において、ＵＥは、受信されたトランスミッション２１０がユニキャスト要求またはマルチキャスト要求であるかどうかを決定する。ＵＥは、受信されたトランスミッション２１０が第１のパイロットシーケンスまたは第２のパイロットシーケンスを含むかどうかに基づいてトランスミッション２１０がユニキャスト要求またはマルチキャスト要求であるかどうかを決定できる。トランスミッション２１０は、トランスミッション２１０がユニキャスト要求であるときに第１のパイロットシーケンスを含み得、トランスミッション２１０がマルチキャスト要求であるときに第２のパイロットシーケンスを含み得る。第２のパイロットシーケンスは、第１のパイロットシーケンスと異なる。具体的には、トランスミッション２１０は、トランスミッション２１０がユニキャスト要求であるときに直交パイロットシーケンスのセットＰのパイロットシーケンスの第１のサブセットＰ１からの１つまたは複数のパイロットシーケンスを含み得、トランスミッション２１０がマルチキャスト要求であるときには直交パイロットシーケンスのセットＰのパイロットシーケンスの第２のサブセットＰ２から１つまたは複数のパイロットシーケンスを選択できる。パイロットシーケンスの第２のサブセットＰ２は、パイロットシーケンスの第１のサブセットＰ１と異なる（すなわち、Ｐ１∩Ｐ２＝φ）。ＵＥは、受信されたトランスミッション２１０がパイロットシーケンスの第１のサブセットＰ１またはパイロットシーケンスの第２のサブセットＰ２のうちのいずれからの１つまたは複数のパイロットシーケンスを含むかどうかに基づいて受信されたトランスミッション２１０がユニキャスト要求またはマルチキャスト要求であるかどうかを決定できる。ステップ８０８において、ＵＥは、受信されたトランスミッション２��０に応答しトランスミッション２１０がユニキャスト要求またはマルチキャスト要求であるかどうかのインジケーションに基づいて決定されたリソース上でピア発見信号応答２１２を送信する。ピア発見信号応答２１２は、リソース５４０のセットのタイムスロット５２０において送信される。タイムスロット５２０は、ピア発見信号要求を受信しピア発見信号応答を送信するためのタイムスロット５１０後における次の利用可能なタイムスロットである。
【００３３】
[0043]  ステップ８０８において、ＵＥは、パイロットシーケンスの第２のサブセットＰ２からの１つまたは複数のパイロットシーケンスと同時並行してピア発見信号応答２１２を送信し得る。上記のように、ユニキャストピア発見信号要求のみが、パイロットシーケンスの第１のサブセットＰ１からのパイロットシーケンスを含み得る。ユニキャストピア発見信号応答、マルチキャストピア発見信号要求、およびマルチキャストピア発見信号応答は、パイロットシーケンスの第２のサブセットＰ２からのパイロットシーケンスを含み得る。従って、ピア発見信号応答２１２は、パイロットシーケンスの第２のサブセットＰ２からの１つまたは複数のパイロットシーケンスを含み得る。
【００３４】
[0044]  図９は、第４の無線通信方法のフローチャート９００である。方法は、ＵＥ、例えば、ＵＥ２０４、によって行われ得る。ステップ９０２において、ＵＥは、受信されたトランスミッションがユニキャスト要求またはマルチキャスト要求であることをインジケートするかどうか受信されたトランスミッションにおけるインジケーションに基づいて決定する。トランスミッションがユニキャスト要求である場合、ステップ９０４において、ＵＥは、ピア発見信号応答を送信するためにタイムスロット５２０におけるリソース５４０のセットのリソース５２２の第２のサブセットを決定する。ピア発見信号応答は、トランスミッションがユニキャスト要求であるときにはリソース５２２の決定された第２のサブセットにおいて送信される。リソース５２２の第２のサブセットは、リソース５１２の第１のサブセットからリソース５２２の第２のサブセットへのアプリオリに知られるマッピングに基づいて決定される。トランスミッションがマルチキャスト要求であるとき、ステップ９０６において、ＵＥは、リソース５４０のセットのタイムスロット５１０におけるトランスミッションをリッスンする。ステップ９０８において、ＵＥは、ユニキャスト要求であるタイムスロット５１０において受信されたトランスミッションを決定する。ステップ９１０において、ＵＥは、ユニキャスト要求のために利用される決定されたトランスミッションに対応するタイムスロット５１０におけるリソース５１３のサブセットを決定する。ステップ９１２において、ＵＥは、タイムスロット５１０におけるリソース５１３のサブセットからタイムスロット５２０におけるリソース５２３の第２のサブセットへのアプリオリに知られるマッピングに基づいてタイムスロット５２０におけるリソース５２３の第２のサブセットを決定する。ステップ９１４において、ＵＥは、リソース５２３の第２のサブセット内の全リソースを除くリソース５４０のセットのタイムスロット５２０におけるリソースの第３のサブセットを決定する。ステップ９１６において、ＵＥは、ピア発見信号応答を送信するためにリソースの第３のサブセットからリソースの第４のサブセットをランダムに選択する。例えば、図５に示されるように、ＵＥは、ピア発見信号応答を送信するためにリソース５２４をランダムに選択する。トランスミッションは、トランスミッションがマルチキャスト要求であるときにはリソースの選択された第４のサブセットにおいて送信される。
【００３５】
[0045]  一構成において、ＵＥは、ステップ９０６乃至９１６を行い得ない。代わりに、ＵＥは、ピア発見信号応答を送信するためにタイムスロット５２０におけるリソース５４０のセットのリソースのサブセットをランダムに選択できる。すなわち、ＵＥは、マルチキャスト応答を送信するためにタイムスロット５２０におけるリソースのうちのいずれかをランダムに選択できる。この構成では、ＵＥが、ユニキャスト応答とリソース上で衝突するリソース５２３をランダムに選択できる。該衝突は、衝突しているリソースを利用しているＵＥが互いに十分に遠く離れている場合に、それらのＵＥにとってそれほど有害であり得ない。
【００３６】
[0046]  図１０は、例示的な装置１００２内の異なるモジュール／手段／コンポーネントの間でのデータフローを例示する概念的データ流れ図１０００である。一構成において、装置は、ピア発見信号を要求するもので、トランスミッションがユニキャスト要求またはマルチキャスト要求を含むかどうかをインジケートするトランスミッションをＵＥ１０３０に送信するように構成される送信モジュール１０１２を含む。装置は、トランスミッションに基づいてＵＥ１０３０から少なくとも１つのピア発見信号応答を受信するように構成される受信モジュール１００４をさらに含む。装置は、トランスミッションがユニキャスト要求であるときに、第１のパイロットシーケンスを選択するように構成されるユニキャスト／マルチキャストインジケーション／決定モジュール１００６をさらに含み得る。送信モジュール１０１２は、トランスミッションがユニキャスト要求であるときに、選択された第１のパイロットシーケンスを含むように構成され得る。ユニキャスト／マルチキャストインジケーション／決定モジュール１００６は、トランスミッションがマルチキャスト要求であるときに第２のパイロットシーケンスを選択するようにさらに構成され得る。第２のパイロットシーケンスは、第１のパイロットシーケンスと異なる。送信モジュール１０１２は、トランスミッションがマルチキャスト要求であるときに、選択された第２のパイロットシーケンスを含むように構成され得る。ユニキャスト／マルチキャストインジケーション／決定モジュール１００６は、トランスミッションがユニキャスト要求であるときに、直交パイロットシーケンスのセットのパイロットシーケンスの第１のサブセットから１つまたは複数のパイロットシーケンスを選択するように構成され得る。送信モジュール１０１２は、トランスミッションがユニキャスト要求であるときに、パイロットシーケンスの第１のサブセットからの選択された１つまたは複数のパイロットシーケンスを含むように構成され得る。ユニキャスト／マルチキャストインジケーション／決定モジュール１００６は、トランスミッションがマルチキャスト要求であるときに、直交パイロットシーケンスのセットのパイロットシーケンスの第２のサブセットから１つまたは複数のパイロットシーケンスを選択するように構成され得る。パイロットシーケンスの第２のサブセットは、パイロットシーケンスの第１のサブセットと異なる。送信モジュール１０１２は、トランスミッションがマルチキャスト要求であるときに、パイロットシーケンスの第２のサブセットからの選択された１つまたは複数のパイロットシーケンスを含むように構成され得る。受信モジュール１００４は、パイロットシーケンスの第２のサブセットからの１つまたは複数のパイロットシーケンスと同時並行して少なくとも１つのピア発見信号応答を受信するように構成され得る。装置は、ピア発見信号要求を送信しピア発見信号応答を受信するためのリソースのセットを決定するように構成されるリソース決定モジュール１００８をさらに含み得る。送信モジュール１０１２は、リソースのセットの第１のタイムスロットにおいてトランスミッションを送信するように構成され得、受信モジュール１００４は���リソースのセットの第２のタイムスロットにおいて少なくとも１つのピア発見信号応答を受信するように構成され得る。第２のタイムスロットは、ピア発見信号要求を送信しピア発見信号応答を受信するための第１のタイムスロット後における次の利用可能なタイムスロットである。リソース決定モジュール１００８は、トランスミッションがユニキャスト要求であるときに、少なくとも１つのピア発見信号応答を受信するための第２のタイムスロットにおけるリソースのセットのリソースのサブセットを決定するように構成され得る。リソースのサブセットは、トランスミッションを送信するために利用されるリソースからのアプリオリに知られるマッピングに基づいて決定される。少なくとも１つのピア発見信号応答は、トランスミッションがユニキャスト要求であるときにはリソースの決定されたサブセットにおいて受信される。受信モジュール１００４は、リソースのセットの第３のタイムスロットにおけるトランスミッションをリッスンする。第３のタイムスロットは、ピア発見信号要求を送信しピア発見信号応答を受信するために利用可能である第１のタイムスロット前における利用可能なタイムスロットである。ユニキャスト／マルチキャストインジケーション／決定モジュール１００６は、ユニキャスト要求である第３のタイムスロットにおいて受信されたトランスミッションを決定するように構成され得る。ユニキャスト／マルチキャストインジケーション／決定モジュール１００６は、ユニキャスト要求のために利用される決定されたトランスミッションに対応する第３のタイムスロットにおけるリソースのサブセットを決定するように構成され得る。リソース決定モジュール１００８は、第３のタイムスロットにおけるリソースのサブセットから第１のタイムスロットにおけるリソースの第２のサブセットへのアプリオリに知られるマッピングに基づいて第１のタイムスロットにおけるリソースの第２のサブセットを決定するように構成され得る。リソース決定モジュール１００８は、リソースの第２のサブセット内の全リソースを除くリソースのセットの第１のタイムスロットにおけるリソースの第３のサブセットを決定するように構成され得る。リソース決定モジュール１００８は、トランスミッションを送信するためにリソースの第３のサブセットからリソースの第４のサブセットをランダムに選択するように構成され得る。送信モジュール１０１２は、リソースの選択された第４のサブセットにおいてトランスミッションを送信するように構成され得る。リソース決定モジュール１００８は、トランスミッションを送信するために第１のタイムスロットにおけるリソースのセットのリソースのサブセットをランダムに選択するように構成され得る。トランスミッションは、リソースの選択されたサブセットにおいて送信される。受信モジュール１００４は、リソースのセットをインジケートする情報を基地局１０５０から受信するように構成され得る。送信モジュール１０１２は、トランスミッションを有するリソースのセット内の平均リソース数、ユニキャスト要求のために利用されるリソースのセット内の平均リソース数、または、マルチキャスト要求への応答のために利用されるリソースのセ���ト内の平均リソース数のうちの少なくとも１つをインジケートする情報を基地局１０５０に送信するように構成され得る。受信される情報は、基地局１０５０に送信された情報に基づく。
【００３７】
[0047]  一構成において、装置は、ピア発見信号を要求しトランスミッションがユニキャスト要求またはマルチキャスト要求を含むかどうかをインジケートするＵＥ１０３０からのトランスミッションを受信するように構成される受信モジュール１００４を含む。装置は、受信されたトランスミッションに応答しトランスミッションがユニキャスト要求またはマルチキャスト要求を含むかどうかのインジケーションに基づいて決定されたリソース上でＵＥ１０３０にピア発見信号応答を送信するように構成される送信モジュール１０１２をさらに含む。トランスミッションは、トランスミッションがユニキャスト要求であるときに第１のパイロットシーケンス、トランスミッションがマルチキャスト要求であるときに第２のパイロットシーケンスを含み得る。第２のパイロットシーケンスは、第１のパイロットシーケンスと異なる。装置は、受信されたトランスミッションが第１のパイロットシーケンスまたは第２のパイロットシーケンスを含むかどうかに基づいてトランスミッションがユニキャスト要求またはマルチキャスト要求であるかどうかを決定するように構成されるユニキャスト／マルチキャストインジケーション／決定モジュール１００６をさらに含み得る。トランスミッションは、トランスミッションがユニキャスト要求であるときに、直交パイロットシーケンスのセットのパイロットシーケンスの第１のサブセットからの１つまたは複数のパイロットシーケンスを含み、トランスミッションがマルチキャスト要求であるときに直交パイロットシーケンスのセットのパイロットシーケンスの第２のサブセットからの１つまたは複数のパイロットシーケンスを含む。パイロットシーケンスの第２のサブセットは、パイロットシーケンスの第１のサブセットと異なる。ユニキャスト／マルチキャストインジケーション／決定モジュール１００６は、受信されたトランスミッションがパイロットシーケンスの第１のサブセットまたはパイロットシーケンスの第２のサブセットのいずれからの１つまたは複数のパイロットシーケンスを含むかどうかに基づいてトランスミッションがユニキャスト要求またはマルチキャスト要求であるかどうかを決定するように構成され得る。送信モジュール１０１２は、パイロットシーケンスの第２のサブセットからの１つまたは複数のパイロットシーケンスと同時並行してピア発見信号応答を送信するように構成され得る。装置は、ピア発見信号要求を受信しピア発見信号応答を送信するためのリソースのセットを決定するように構成されるリソース決定モジュール１００８をさらに含み得る。受信モジュール１００４は、リソースのセットの第１のタイムスロットにおいてトランスミッションを受信するように構成され得、送信モジュール１０１２は、リソースのセットの第２のタイムスロットにおいてピア発見信号応答を送信するように構成され得る。第２のタイムスロットは、ピア発見信号要求を受信しピア発見信号応答を送信するための第１のタイムスロット後における次の利用可能なタイムスロットである。トランスミッションは、第１のタイムスロットにおけるリソースのセットのリソースの第１のサブセットにおいて受信し得る。ユニキャスト／マルチキャストインジケーション���決定モジュール１００６は、受信されたトランスミッション内のインジケーションに基づいてトランスミッションがユニキャスト要求またはマルチキャスト要求であることをインジケートするかどうかを決定するように構成され得る。リソース決定モジュール１００８は、受信されたトランスミッションがユニキャスト要求であるときにピア発見信号応答を送信するための第２のタイムスロットにおけるリソースのセットのリソースの第２のサブセットを決定するように構成され得る。送信モジュール１０１２は、トランスミッションがユニキャスト要求であるときにはリソースの決定された第２のサブセットにおいてピア発見信号応答を送信するように構成され得る。リソースの第２のサブセットは、リソースの第１のサブセットからリソースの第２のサブセットへのアプリオリに知られるマッピングに基づいて決定される。受信モジュール１００４は、リソースのセットの第１のタイムスロットにおけるトランスミッションをリッスンするように構成され得る。リソース決定モジュール１００８は、ユニキャスト要求である第１のタイムスロットにおいて受信されたトランスミッションを決定するように、および、ユニキャスト要求のために利用される決定されたトランスミッションに対応する第１のタイムスロットにおけるリソースのサブセットを決定するように、構成され得る。リソース決定モジュール１００８は、第１のタイムスロットにおけるリソースのサブセットから第２のタイムスロットにおけるリソースの第２のサブセットへのアプリオリに知られるマッピングに基づいて第２のタイムスロットにおけるリソースの第２のサブセットを決定するように、リソースの第２のサブセット内の全リソースを除くリソースのサブセットの第２のタイムスロットにおけるリソースの第３のサブセットを決定するように、および、トランスミッションがマルチキャスト要求であるときにピア発見信号応答を送信するためにリソースの第３のサブセットからリソースの第４のサブセットをランダムに選択するように構成され得る。送信モジュール１０１２は、トランスミッションがマルチキャスト要求であるときに、リソースの選択された第４のサブセットにおいてトランスミッションを送信するように構成され得る。リソース決定モジュール１００８は、トランスミッションがマルチキャスト要求であるときに、ピア発見信号応答を送信するために第２のタイムスロットにおけるリソースのセットのリソースのサブセットをランダムに選択するように構成され得る。送信モジュール１０１２は、トランスミッションがマルチキャスト要求であるときに、リソースの選択されたサブセットにおいてピア発見信号応答を送信するように構成され得る。受信モジュール１００４は、リソースのセットをインジケートする情報を基地局１０５０から受信するように構成され得る。送信モジュール１０１２は、トランスミッションを有するリソースのセット内の平均リソース数、ユニキャスト要求のために利用されるリソースのセット内の平均リソース数、または、マルチキャスト要求への応答のために利用されるリソースのセット内の平均リソース数のうちの少なくとも１つをインジケートする情報を基地局に送信するように構成され���る。受信される情報は、基地局に送信された情報に基づく。
【００３８】
[0048]  装置は、図６乃至９の上記のフローチャート内のアルゴリズムの各々のステップを行う追加のモジュールを含み得る。従って、図６乃至９の上記のフローチャート内の各ステップは、モジュールによって行われることができ、装置は、それらのモジュールのうちの１つまたは複数を含み得る。モジュールは、記載のプロセス／アルゴリズムを実行するように特に構成された、記載のプロセス／アルゴリズムを行うように構成されたプロセッサによって実装された、プロセッサによる実装のためにコンピュータ可読媒体内に格納された、またはそれらの組み合わせである１つまたは複数のハードウェアコンポーネントであり得る。
【００３９】
[0049]  図１１は、処理システム１１１４を採用する装置１００２’のためのハードウェア実装の一例を示す図１１００である。処理システム１１１４は、概してバス１１２４によって代表されるバスアーキテクチャを用いて実装し得る。バス１１２４は、処理システム１１１４の特定の用途および全体的な設計上の制約事項に依存してあらゆる数の相互接続バスおよびブリッジを含み得る。バス１１２４は、プロセッサ１１０４、モジュール１００４、１００６、１００８、１０１２、および、コンピュータ可読媒体／メモリ１１０６によって代表される、１つまたは複数のプロセッサおよび／またはハードウェアモジュールを含む様々な回路をひとつにリンクし得る。バス１１２４は、様々な他の回路、例えば、タイミングソース、周辺機器、電圧調整器、および電力管理回路、もリンクでき、それらは、当該技術においてよく知られており、従って、これ以上は説明されない。処理システム１１１４は、トランシーバ１１１０に結合できる。トランシーバ１１１０は、１本または複数本のアンテナ１１２０に結合される。トランシーバ１１１０は、送信媒体を通じて様々な他の装置と通信するための手段を提供する。トランシーバ１１１０は、１本または複数本のアンテナ１１２０から信号を受信し、受信された信号から情報を抽出し、処理システム１１１４に抽出された情報を提供する。さらに、トランシーバ１１１０は、処理システム１１１４から情報を受信し、受信された情報に基づいて、１本または複数本のアンテナ１１２０に印加される信号を生成する。処理システム１１１４は、コンピュータ可読媒体／メモリ１１０６に結合されたプロセッサ１１０４を含む。プロセッサ１１０４は、コンピュータ可読媒体／メモリ１１０６に格納されたソフトウェアの実行を含む一般的処理を担当する。ソフトウェアは、プロセッサ１１０４によって実行されたときに、特定の装置に関して上述される様々な機能を遂行することを処理システム１１１４に行わせる。コンピュータ可読媒体／メモリ１１０６は、ソフトウェアを実行するときにプロセッサ１１０４によって取り扱われるデータを格納するために使用することもできる。処理システムは、モジュール１００４、１００６、１００８、１０１２のうちの少なくとも１つをさらに含む。モジュールは、プロセッサ１１０４内で走っているソフトウェアモジュール、コンピュータ可読媒体／メモリ１１０６に常駐する／格納されるソフトウェアモジュール、プロセッサ１１０４に結合された１つまたは複数のハードウェアモジュール、またはそれらの組み合わせであり得る。
【００４０】
[0050]  一構成において、無線通信のための装置１００２／１００２’は、ピア発見信号を要求するもので、トランスミッションがユニキャスト要求またはマルチキャスト要求を含むかどうかをインジケートするトランスミッションを送信するための手段と、トランスミッションに基づいて少なくとも１つのピア発見信号応答を受信するための手段と、を含む。装置は、トランスミッションがユニキャスト要求であるときには第１のパイロットシーケンスを選択するための手段をさらに含み得る。トランスミッションは、トランスミッションがユニキャスト要求であるときに、選択された第１のパイロットシーケンスを含む。装置は、トランスミッションがマルチキャスト要求であるときに、第２のパイロットシーケンスを選択するための手段をさらに含み得る。第２のパイロットシーケンスは、第１のパイロットシーケンスと異なる。トランスミッションは、トランスミッションがマルチキャスト要求であるときに、選択された第２のパイロットシーケンスを含む。装置は、トランスミッションがユニキャスト要求であるときに、直交パイロットシーケンスのセットのパイロットシーケンスの第１のサブセットから１つまたは複数のパイロットシーケンスを選択するための手段をさらに含み得る。トランスミッションは、トランスミッションがユニキャスト要求であるときに、パイロットシーケンスの第１のサブセットからの選択された１つまたは複数のパイロットシーケンスを含む。装置は、トランスミッションがマルチキャスト要求であるときに、直交パイロットシーケンスのセットのパイロットシーケンスの第２のサブセットから１つまたは複数のパイロットシーケンスを選択するための手段をさらに含み得る。パイロットシーケンスの第２のサブセットは、パイロットシーケンスの第１のサブセットと異なる。トランスミッションは、トランスミッションがマルチキャスト要求であるときに、パイロットシーケンスの第２のサブセットからの選択された１つまたは複数のパイロットシーケンスを含む。装置は、ピア発見信号要求を送信しピア発見信号応答を受信するためのリソースのセットを決定するための手段をさらに含み得る。トランスミッションは、リソースのセットの第１のタイムスロットにおいて送信され、少なくとも１つのピア発見信号応答は、リソースのセットの第２のタイムスロットにおいて受信される。第２のタイムスロットは、ピア発見信号要求を送信しピア発見信号応答を受信するための第１のタイムスロット後における次の利用可能なタイムスロットである。装置は、トランスミッションがユニキャスト要求であるときに、少なくとも１つのピア発見信号応答を受信するための第２のタイムスロットにおけるリソースのセットのリソースのサブセットを決定するための手段をさらに含み得る。リソースのサブセットは、トランスミッションを送信するために利用されるリソースからのアプリオリに知られるマッピングに基づいて決定される。少なくとも１つのピア発見信号応答は、トランスミッションがユニキャスト要求であるときに、リソースの決定されたサブセットにおいて受信される。装置は、リソースのセットの第３のタイムスロットにおけるトランスミッションをリッスンするための手段���さらに含み得る。第３のタイムスロットは、ピア発見信号要求を送信しピア発見信号応答を受信するために利用可能である第１のタイムスロット前における利用可能なタイムスロットである。装置は、ユニキャスト要求である第３のタイムスロットにおいて受信されたトランスミッションを決定するための手段と、ユニキャスト要求のために利用される決定されたトランスミッションに対応する第３のタイムスロットにおけるリソースのサブセットを決定するための手段と、をさらに含み得る。装置は、第３のタイムスロットにおけるリソースのサブセットから第１のタイムスロットにおけるリソースの第２のサブセットへのアプリオリに知られるマッピングに基づいて第１のタイムスロットにおけるリソースの第２のサブセットを決定するための手段をさらに含み得る。装置は、リソースの第２のサブセット内の全リソースを除くリソースのセットの第１のタイムスロットにおけるリソースの第３のサブセットを決定するための手段をさらに含み得る。装置は、トランスミッションを送信するためにリソースの第３のサブセットからリソースの第４のサブセットをランダムに選択するための手段をさらに含み得、トランスミッションは、リソースの選択された第４のサブセットにおいて送信される。装置は、トランスミッションを送信するために第１のタイムスロットにおけるリソースのセットのリソースのサブセットをランダムに選択するための手段をさらに含み得る。トランスミッションは、リソースの選択されたサブセットにおいて送信される。装置は、リソースのセットをインジケートする情報を基地局から受信するための手段をさらに含み得る。装置は、トランスミッションを有するリソースのセット内の平均リソース数、ユニキャスト要求のために利用されるリソースのセット内の平均リソース数、または、マルチキャスト要求への応答のために利用されるリソースセット内の平均リソース数のうちの少なくとも１つをインジケートする情報を基地局に送信するための手段をさらに含む。受信される情報は、基地局に送信された情報に基づく。上記の手段は、装置１００２の上記のモジュールのうちの１つまたは複数および／または上記の手段によって示される機能を行うように構成された装置１００２’の処理システム１１１４であり得る。
【００４１】
[0051]  一構成において、無線通信のための装置１００２／１００２’は、ピア発見信号を要求しトランスミッションがユニキャスト要求またはマルチキャスト要求を含むかどうかをインジケートするトランスミッションを受信するための手段と、受信されたトランスミッションに応答し、トランスミッションがユニキャスト要求またはマルチキャスト要求を含むかどうかのインジケーションに基づいて決定されたリソース上でピア発見信号応答を送信するための手段と、を含む。トランスミッションは、トランスミッションがユニキャスト要求であるときに第１のパイロットシーケンスを含み得、トランスミッションがマルチキャスト要求であるときに、第２のパイロットシーケンスを含み得る。第２のパイロットシーケンスは、第１のパイロットシーケンスと異なる。装置は、受信されたトランスミッションが第１のパイロットシーケンスまたは第２のパイロットシーケンスを含むかどうかに基づいてトランスミッションがユニキャスト要求またはマルチキャスト要求であるかどうかを決定するための手段をさらに含み得る。トランスミッションは、トランスミッションがユニキャスト要求であるときに、直交パイロットシーケンスのセットのパイロットシーケンスの第１のサブセットからの１つまたは複数のパイロットシーケンスを含み得、トランスミッションがマルチキャスト要求であるときに、直交パイロットシーケンスのセットのパイロットシーケンスの第２のサブセットからの１つまたは複数のパイロットシーケンスを含み得る。パイロットシーケンスの第２のサブセットは、パイロットシーケンスの第１のサブセットと異なる。装置は、受信されたトランスミッションがパイロットシーケンスの第１のサブセットまたはパイロットシーケンスの第２のサブセットのうちのいずれからの１つまたは複数のパイロットシーケンスを含むかどうかに基づいてトランスミッションがユニキャスト要求またはマルチキャスト要求であるかどうかを決定するための手段をさらに含み得る。装置は、ピア発見信号要求を受信しピア発見信号応答を送信するためのリソースのセットを決定するための手段をさらに含み得る。トランスミッションは、リソースのセットの第１のタイムスロットにおいて受信され、ピア発見信号応答は、リソースのセットの第２のタイムスロットにおいて送信される。第２のタイムスロットは、ピア発見信号要求を受信しピア発見信号応答を送信するための第１のタイムスロット後における次の利用可能なタイムスロットである。トランスミッションは、第１のタイムスロットにおけるリソースのセットのリソースの第１のサブセットにおいて受信し得る。装置は、受信されたトランスミッションにおけるインジケーションに基づいて受信されたトランスミッションがユニキャストまたはマルチキャスト要求であることをインジケートするかどうかを決定するための手段をさらに含み得る。装置は、受信されたトランスミッションがユニキャスト要求であるときにピア発見信号応答を送信するために第２のタイムスロットにおけるリソースのセットのリソースの第２のサブセットを決定するための手段をさらに含み得る。ピア発見信号応答は、トランスミッションがユニキャスト要求であるときにリソースの���定された第２のサブセットにおいて送信される。リソースの第２のサブセットは、リソースの第１のサブセットからリソースの第２のサブセットへのアプリオリに知られるマッピングに基づいて決定される。装置は、リソースのセットの第１のタイムスロットにおけるトランスミッションをリッスンするための手段と、ユニキャスト要求である第１のタイムスロットにおいて受信されたトランスミッションを決定するための手段と、ユニキャスト要求のために利用される決定されたトランスミッションに対応する第１のタイムスロットにおけるリソースのサブセットを決定するための手段と、を含む。装置は、第１のタイムスロットにおけるリソースのサブセットから第２のタイムスロットにおけるリソースの第２のサブセットへのアプリオリに知られるマッピングに基づいて第２のタイムスロットにおけるリソースの第２のサブセットを決定するための手段と、リソースの第２のサブセット内の全リソースを除くリソースのセットの第２のタイムスロットにおけるリソースの第３のサブセットを決定するための手段と、トランスミッションがマルチキャスト要求であるときにはピア発見信号応答を送信するためのリソースの第３のサブセットからリソースの第４のサブセットをランダムに選択するための手段と、をさらに含み得る。トランスミッションは、トランスミッションがマルチキャスト要求であるときにはリソースの選択された第４のサブセットにおいて送信される。装置は、トランスミッションがマルチキャスト要求であるときにはピア発見信号応答を送信するための第２のタイムスロットにおけるリソースのセットのリソースのサブセットをランダムに選択するための手段をさらに含み得る。ピア発見信号応答は、トランスミッションがマルチキャスト要求であるときにはリソースの選択されたサブセットにおいて送信される。装置は、リソースのセットをインジケートする情報を基地局から受信するための手段をさらに含み得る。装置は、トランスミッションを有するリソースのセット内の平均リソース数、ユニキャスト要求のために利用されるリソースのセット内の平均リソース数、または、マルチキャスト要求への応答のために利用されるリソースセット内の平均リソース数のうちの少なくとも１つをインジケートする情報を基地局に送信するための手段をさらに含み得る。受信される情報は、基地局に送信された情報に基づく。上記の手段は、装置１００２の上記のモジュールのうちの１つまたは複数および／または上記の手段によって示される機能を実行するように構成された装置１００２’の処理システム１１１４であり得る。
【００４２】
[0052]  開示されるプロセスにおけるステップの特定の順序または階層は典型的なアプローチ法の例示であることが理解される。設計上の選好に基づき、プロセスにおけるステップの特定の順序または階層は再編し得ることが理解される。さらに、幾つかのステップは、組み合わせることまたは省略し得る。添付されている方法請求項は、様々なステップの要素を見本の順序で提示するものであり、提示される特定の順序または階層には限定されない。
【００４３】
[0053]  前説明は、あらゆる当業者がここにおいて提示される様々な態様を実施するのを可能にするために提供される。これらの態様の様々な変更が当業者にとって容易に明らかになるであろう、および、ここにおいて定められる一般原理は、その他の態様に適用できる。従って、請求項は、ここにおいて示される態様に限定されることは意図されず、言葉請求項（ｌａｎｇｕａｇｅ  ｃｌａｉｍ）に一致するかぎりにおいて完全な適用範囲が認められるべきであり、ここにおいて、単数形の要素への言及は、その旨の特記がないかぎり“１つおよび１つのみ”を意味することは意図されず、むしろ“１つまたは複数”であることを意味することが意図される。単語“例示的な”は、ここでは、“例、実例、または例示”を意味するために使用される。ここにおいて“例示的な”として説明される態様は、必ずしもその他の態様よりも好ましいまたは有利であると解釈されるべきでない。別の特記がないかぎり、用語“幾つか”は、１つまたは複数を意味する。組み合わせ、例えば、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、は、Ａ、Ｂ、および／またはＣのいずれかの組み合わせを含み、Ａの倍数、Ｂの倍数、またはＣの倍数を含み得る。具体的には、組み合わせ、例えば、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、は、Ａのみ、Ｂのみ、Ｃのみ、ＡおよびＢ、ＡおよびＣ、ＢおよびＣ、またはＡおよびＢおよびＣであることができ、ここで、該組み合わせは、Ａ、Ｂ、またはＣの１つまたは複数のメンバーを含み得る。本開示全体を通じて説明され、当業者に知られているまたはのちに知られることになる様々な態様の要素の全ての構造上のおよび機能上の同等物は、ここにおける参照によって明示で組み入れられており、請求項によって包含されることが意図される。さらに、ここにおいて開示されるいずれの物も、該開示が請求項において明示で記述されているかどうかにかかわらず、公衆を対象にすることは意図されない。いずれの請求項要素も、その要素が句“〜のための手段”を用いて明示されないかぎり、手段プラス機能（ｍｅａｎｓ  ｐｌｕｓ  ｆｕｎｃｔｉｏｎ）であると解釈されるべきでない。
【図１】
2016538738.tif 000003
【図２】
2016538738.tif 000004
【図３】
2016538738.tif 000005
【図４】
2016538738.tif 000006
【図５】
2016538738.tif 000007
【図６】
2016538738.tif 000008
【図７】
2016538738.tif 000009
【図８】
2016538738.tif 000010
【図９】
2016538738.tif 000011
【図１０】
2016538738.tif 000012
【図１１】
2016538738.tif 000013
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
無線通信方法であって、
ピア発見信号を要求しトランスミッションがユニキャスト要求またはマルチキャスト要求を含むかどうかをインジケートする前記トランスミッションを送信することであって、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは前記第２のパイロットシーケンスと異なる、送信することと、
前記トランスミッションに基づいて少なくとも１つのピア発見信号応答を受信することと
を備える、無線通信方法。
【請求項２】
ピア発見信号要求を送信しピア発見信号応答を受信するためのリソースのセットを決定することをさらに備え、前記トランスミッションはリソースの前記セットの第１のタイムスロットにおいて送信され、前記少なくとも１つのピア発見信号応答はリソースの前記セットの第２のタイムスロットにおいて受信され、前記第２のタイムスロットはピア発見信号要求を送信しピア発見信号応答を受信するための前記第１のタイムスロット後における次の利用可能なタイムスロットである、請求項１に記載の方法。
【請求項３】
前記トランスミッションがユニキャスト要求であるときに前記少なくとも１つのピア発見信号応答を受信するための前記第２のタイムスロットにおけるリソースの前記セットのリソースのサブセットを決定することであって、リソースの前記サブセットは前記トランスミッションを送信するために利用されるリソースからのアプリオリに知られるマッピングに基づいて決定され、前記少なくとも１つのピア発見信号応答は前記トランスミッションがユニキャスト要求であるときにリソースの前記決定されたサブセットにおいて受信される、決定することをさらに備える、請求項２に記載の方法。
【請求項４】
リソースの前記セットの第３のタイムスロットにおけるトランスミッションをリッスンすることであって、前記第３のタイムスロットはピア発見信号要求を送信しピア発見信号応答を受信するために利用可能である前記第１のタイムスロット前における利用可能なタイムスロットである、リンスンすることと、
ユニキャスト要求である前記第３のタイムスロットにおいて受信されたトランスミッションを決定することと、
ユニキャスト要求のために利用される前記決定されたトランスミッションに対応する前記第３のタイムスロットにおけるリソースのサブセットを決定することと
をさらに備える、請求項２に記載の方法。
【請求項５】
前記第３のタイムスロットにおけるリソースの前記サブセットから前記第１のタイムスロットにおけるリソースの第２のサブセットへのアプリオリに知られるマッピングに基づいて前記第１のタイムスロットにおけるリソースの前記第２のサブセットを決定することと、
リソースの前記第２のサブセット内の全リソースを除くリソースの前記セットの前記第１のタイムスロットにおけるリソースの第３のサブセットを決定することと、
前記トランスミッションを送信するためにリソースの第３のサブセットからリソースの第４のサブセットをランダムに選択することであって、前記トランスミッションはリソースの前記選択された第４のサブセットにおいて送信される、選択することと
をさらに備える、請求項４に記載の方法。
【請求項６】
前記トランスミッションを送信するために前記第１のタイムスロットにおけるリソースの前記セットのリソースのサブセットをランダムに選択することであって、前記トランスミッションは、リソースの前記選択されたサブセットにおいて送信される、請求項２に記載の方法。
【請求項７】
リソースの前記セットをインジケートする情報を基地局から受信することをさらに備える、請求項２に記載の方法。
【請求項８】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項７に記載の方法。
【請求項９】
無線通信方法であって、
ピア発見信号を要求するトランスミッションを受信することであって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なる、受信することと、
前記受信されたトランスミッションに応答して、前記インジケーションに基づいて決定されたリソース上でピア発見信号応答を送信することと
を備える、無線通信方法。
【請求項１０】
ピア発見信号要求を受信しピア発見信号応答を送信するためのリソースのセットを決定することをさらに備え、前記トランスミッションはリソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項９に記載の方法。
【請求項１１】
前記トランスミッションは前記第１のタイムスロットにおけるリソースの前記セットのリソースの第１のサブセットにおいて受信され、前記方法は、
前記受信されたトランスミッションにおける前記インジケーションに基づいて前記トランスミッションがユニキャスト要求またはマルチキャスト要求であることを前記受信されたトランスミッションがインジケートするかどうかを決定することと、
前記受信されたトランスミッションがユニキャスト要求であるときに前記ピア発見信号応答を送信するための前記第２のタイムスロットにおけるリソースの前記セットのリソースの第２のサブセットを決定することであって、前記ピア発見信号応答は前記トランスミッションがユニキャスト要求であるときにはリソースの前記決定された第２のサブセットにおいて送信され、リソースの前記第２のサブセットはリソースの前記第１のサブセットからリソースの前記第２のサブセットへのアプリオリに知られるマッピングに基づいて決定される、決定することと
をさらに備える、請求項１０に記載の方法。
【請求項１２】
リソースの前記セットの前記第１のタイムスロットにおけるトランスミッションをリッスンすることと、
ユニキャスト要求である前記第１のタイムスロットにおいて受信されたトランスミッションを決定することと、
ユニキャスト要求のために利用される前記決定されたトランスミッションに対応する前記第１のタイムスロットにおけるリソースのサブセットを決定することと
をさらに備える、請求項１０に記載の方法。
【請求項１３】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定することと、
リソースの前記第２のサブセット内の全リソースを除くリソースの前記セットの前記第２のタイムスロットにおけるリソースの第３のサブセットを決定することと、
前記トランスミッションがマルチキャスト要求であるときには前記ピア発見信号応答を送信するためにリソースの前記第３のサブセットからリソースの第４のサブセットをランダムに選択することであって、前記トランスミッションは前記トランスミッションがマルチキャスト要求であるときにリソースの前記選択された第４のサブセットにおいて送信される、選択することと
をさらに備える、請求項１２に記載の方法。
【請求項１４】
前記トランスミッションがマルチキャスト要求であるときに前記ピア発見信号応答を送信するために前記第２のタイムスロットにおけるリソースの前記セットのリソースのサブセットをランダムに選択することであって、前記ピア発見信号応答は前記トランスミッションがマルチキャスト要求であるときにリソースの前記選択されたサブセットにおいて送信される、選択することをさらに備える、請求項１０に記載の方法。
【請求項１５】
リソースの前記セットをインジケートする情報を基地局から受信することをさらに備える、請求項１０に記載の方法。
【請求項１６】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項１５に記載の方法。
【請求項１７】
無線通信のための装置であって、
ピア発見信号を要求するトランスミッションを受信するための手段であって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なる、受信するための手段と、
前記受信されたトランスミッションに応答し、前記インジケーションに基づいて決定されたリソース上でピア発見信号応答を送信するための手段と
を備える、無線通信のための装置。
【請求項１８】
ピア発見信号要求を受信しピア発見信号応答を送信するためのリソースのセットを決定するための手段をさらに備え、前記トランスミッションは、リソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項１７に記載の装置。
【請求項１９】
前記トランスミッションは前記第１のタイムスロットにおけるリソースの前記セットのリソースの第１のサブセットにおいて受信され、前記装置は、
前記受信されたトランスミッションが、前記受信されたトランスミッションにおける前記インジケーションに基づいて前記トランスミッションがユニキャスト要求またはマルチキャスト要求であることをインジケートするかどうかを決定するための手段と、
前記受信されたトランスミッションがユニキャスト要求であるときに前記ピア発見信号応答を送信するために前記第２のタイムスロットにおけるリソースの前記セットの第２のサブセットを決定するための手段であって、前記ピア発見信号応答は前記トランスミッションがユニキャスト要求であるときにリソースの前記決定された第２のサブセットにおいて送信され、リソースの前記第２のサブセットはリソースの前記第１のサブセットからリソースの前記第２のサブセットへのアプリオリに知られるマッピングに基づいて決定される、手段と
をさらに備える、請求項１８に記載の装置。
【請求項２０】
リソースの前記セットの前記第１のタイムスロットにおけるトランスミッションをリッスンするための手段と、
ユニキャスト要求である前記第１のタイムスロットにおいて受信されたトランスミッションを決定するための手段と、
ユニキャスト要求のために利用される前記決定されたトランスミッションに対応する前記第１のタイムスロットにおけるリソースのサブセットを決定するための手段と
をさらに備える、請求項１８に記載の装置。
【請求項２１】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定するための手段と、
リソースの前記第２のサブセット内の全リソースを除くリソースの前記セットの前記第２のタイムスロットにおけるリソースの第３のサブセットを決定するための手段と、
前記トランスミッションがマルチキャスト要求であるときに前記ピア発見信号応答を送信するためにリソースの前記第３のサブセットからリソースの第４のサブセットをランダムに選択するための手段であって、前記トランスミッションは、前記トランスミッションがマルチキャスト要求であるときにはリソースの前記選択された第４のサブセットにおいて送信される手段と
をさらに備える、請求項２０に記載の装置。
【請求項２２】
前記トランスミッションがマルチキャスト要求であるときには前記ピア発見信号応答を送信するために前記第２のタイムスロットにおけるリソースの前記セットのリソースのサブセットをランダムに選択するための手段であって、前記ピア発見信号応答は前記トランスミッションがマルチキャスト要求であるときにリソースの前記選択されたサブセットにおいて送信される、手段をさらに備える、請求項１８に記載の装置。
【請求項２３】
リソースの前記セットをインジケートする情報を基地局から受信するための手段をさらに備える、請求項１８に記載の装置。
【請求項２４】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信するための手段をさらに備え、前記受信される情報は、前記基地局に送信された前記情報に基づく、請求項２３に記載の装置。
【請求項２５】
無線通信のための装置であって、
メモリと、
前記メモリに結合され、
ピア発見信号を要求するトランスミッションを受信し、ここにおいて、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なる、
前記受信されたトランスミッションに応答し、前記インジケーションに基づいて決定されたリソース上でピア発見信号応答を送信するように構成された少なくとも１つのプロセッサと、を備える、無線通信のための装置。
【請求項２６】
無線通信のためのコンピュータ実行可能なコードを記憶したコンピュータ可読媒体であって、
ピア発見信号を要求するトランスミッションを受信するためのコードであって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なる、受信するためのコードと、
前記受信されたトランスミッションに応答し、前記インジケーションに基づいて決定されたリソース上でピア発見信号応答を送信するためのコードを備える、コンピュータ可読媒体。
【手続補正２】
【補正対象書類名】明細書
【補正対象項目名】００４３
【補正方法】変更
【補正の内容】
【００４３】
[0053]  前説明は、あらゆる当業者がここにおいて提示される様々な態様を実施するのを可能にするために提供される。これらの態様の様々な変更が当業者にとって容易に明らかになるであろう、および、ここにおいて定められる一般原理は、その他の態様に適用できる。従って、請求項は、ここにおいて示される態様に限定されることは意図されず、言葉請求項（ｌａｎｇｕａｇｅ  ｃｌａｉｍ）に一致するかぎりにおいて完全な適用範囲が認められるべきであり、ここにおいて、単数形の要素への言及は、その旨の特記がないかぎり“１つおよび１つのみ”を意味することは意図されず、むしろ“１つまたは複数”であることを意味することが意図される。単語“例示的な”は、ここでは、“例、実例、または例示”を意味するために使用される。ここにおいて“例示的な”として説明される態様は、必ずしもその他の態様よりも好ましいまたは有利であると解釈されるべきでない。別の特記がないかぎり、用語“幾つか”は、１つまたは複数を意味する。組み合わせ、例えば、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、は、Ａ、Ｂ、および／またはＣのいずれかの組み合わせを含み、Ａの倍数、Ｂの倍数、またはＣの倍数を含み得る。具体的には、組み合わせ、例えば、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、は、Ａのみ、Ｂのみ、Ｃのみ、ＡおよびＢ、ＡおよびＣ、ＢおよびＣ、またはＡおよびＢおよびＣであることができ、ここで、該組み合わせは、Ａ、Ｂ、またはＣの１つまたは複数のメンバーを含み得る。本開示全体を通じて説明され、当業者に知られているまたはのちに知られることになる様々な態様の要素の全ての構造上のおよび機能上の同等物は、ここにおける参照によって明示で組み入れられており、請求項によって包含されることが意図される。さらに、ここにおいて開示されるいずれの物も、該開示が請求項において明示で記述されているかどうかにかかわらず、公衆を対象にすることは意図されない。いずれの請求項要素も、その要素が句“〜のための手段”を用いて明示されないかぎり、手段プラス機能（ｍｅａｎｓ  ｐｌｕｓ  ｆｕｎｃｔｉｏｎ）であると解釈されるべきでない。
以下に、出願当初の特許請求の範囲に記載された発明を付記する。
［Ｃ１］
無線通信方法であって、
ピア発見信号を要求しトランスミッションがユニキャスト要求またはマルチキャスト要求を含むかどうかをインジケートする前記トランスミッションを送信することと、
前記トランスミッションに基づいて少なくとも１つのピア発見信号応答を受信することと
を備える、無線通信方法。
［Ｃ２］
前記トランスミッションがユニキャスト要求であるときに第１のパイロットシーケンスを選択することであって、前記トランスミッションは、前記トランスミッションがユニキャスト要求であるときに前記選択された第１のパイロットシーケンスを含む、選択することと、
前記トランスミッションがマルチキャスト要求であるときに第２のパイロットシーケンスを選択することであって、前記第２のパイロットシーケンスは前記第１のパイロットシーケンスと異なり、前記トランスミッションは前記トランスミッションがマルチキャスト要求であるときに前記選択された第２のパイロットシーケンスを含む、選択することと
をさらに備える、Ｃ１に記載の方法。
［Ｃ３］
前記トランスミッションがユニキャスト要求であるときに直交パイロットシーケンスのセットのパイロットシーケンスの第１のサブセットから１つまたは複数のパイロットシーケンスを選択することであって、前記トランスミッションは前記トランスミッションがユニキャスト要求であるときにパイロットシーケンスの前記第１のサブセットからの前記選択された１つまたは複数のパイロットシーケンスを含む、選択することと、
前記トランスミッションがマルチキャスト要求であるときに直交パイロットシーケンスの前記セットのパイロットシーケンスの第２のサブセットから１つまたは複数のパイロットシーケンスを選択することであって、パイロットシーケンスの前記第２のサブセットはパイロットシーケンスの前記第１のサブセットと異なり、前記トランスミッションは前記トランスミッションがマルチキャスト要求であるときにパイロットシーケンスの前記第２のサブセットからの前記選択された１つまたは複数のパイロットシーケンスを含む、選択することと
をさらに備える、Ｃ１に記載の方法。
［Ｃ４］
前記少なくとも１つのピア発見信号応答は、パイロットシーケンスの前記第２のサブセットからの１つまたは複数のパイロットシーケンスと同時並行して受信される、Ｃ３に記載の方法。
［Ｃ５］
ピア発見信号要求を送信しピア発見信号応答を受信するためのリソースのセットを決定することをさらに備え、前記トランスミッションはリソースの前記セットの第１のタイムスロットにおいて送信され、前記少なくとも１つのピア発見信号応答はリソースの前記セットの第２のタイムスロットにおいて受信され、前記第２のタイムスロットはピア発見信号要求を送信しピア発見信号応答を受信するための前記第１のタイムスロット後における次の利用可能なタイムスロットである、Ｃ１に記載の方法。
［Ｃ６］
前記トランスミッションがユニキャスト要求であるときに前記少なくとも１つのピア発見信号応答を受信するための前記第２のタイムスロットにおけるリソースの前記セットのリソースのサブセットを決定することであって、リソースの前記サブセットは前記トランスミッションを送信するために利用されるリソースからのアプリオリに知られるマッピングに基づいて決定され、前記少なくとも１つのピア発見信号応答は前記トランスミッションがユニキャスト要求であるときにリソースの前記決定されたサブセットにおいて受信される、決定することをさらに備える、Ｃ５に記載の方法。
［Ｃ７］
リソースの前記セットの第３のタイムスロットにおけるトランスミッションをリッスンすることであって、前記第３のタイムスロットはピア発見信号要求を送信しピア発見信号応答を受信するために利用可能である前記第１のタイムスロット前における利用可能なタイムスロットである、リンスンすることと、
ユニキャスト要求である前記第３のタイムスロットにおいて受信されたトランスミッションを決定することと、
ユニキャスト要求のために利用される前記決定されたトランスミッションに対応する前記第３のタイムスロットにおけるリソースのサブセットを決定することと
をさらに備える、Ｃ５に記載の方法。
［Ｃ８］
前記第３のタイムスロットにおけるリソースの前記サブセットから前記第１のタイムスロットにおけるリソースの第２のサブセットへのアプリオリに知られるマッピングに基づいて前記第１のタイムスロットにおけるリソースの前記第２のサブセットを決定することと、
リソースの前記第２のサブセット内の全リソースを除くリソースの前記セットの前記第１のタイムスロットにおけるリソースの第３のサブセットを決定することと、
前記トランスミッションを送信するためにリソースの第３のサブセットからリソースの第４のサブセットをランダムに選択することであって、前記トランスミッションはリソースの前記選択された第４のサブセットにおいて送信される、選択することと
をさらに備える、Ｃ７に記載の方法。
［Ｃ９］
前記トランスミッションを送信するために前記第１のタイムスロットにおけるリソースの前記セットのリソースのサブセットをランダムに選択することであって、前記トランスミッションは、リソースの前記選択されたサブセットにおいて送信される、Ｃ５に記載の方法。
［Ｃ１０］
リソースの前記セットをインジケートする情報を基地局から受信することをさらに備える、Ｃ５に記載の方法。
［Ｃ１１］
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、Ｃ１０に記載の方法。
［Ｃ１２］
無線通信方法であって、
ピア発見信号を要求するもので、トランスミッションがユニキャスト要求またはマルチキャスト要求を含むかどうかをインジケートする前記トランスミッションを受信することと、
前記受信されたトランスミッションに応答して、前記トランスミッションがユニキャスト要求またはマルチキャスト要求であるかどうかのインジケーションに基づいて決定されたリソース上でピア発見信号応答を送信することと
を備える、無線通信方法。
［Ｃ１３］
前記トランスミッションは前記トランスミッションがユニキャスト要求であるときに第１のパイロットシーケンスを含み、前記トランスミッションがマルチキャスト要求であるときに第２のパイロットシーケンスを含み、前記第２のパイロットシーケンスは前記第１のパイロットシーケンスと異なり、前記方法は前記受信されたトランスミッションが前記第１のパイロットシーケンスまたは前記第２のパイロットシーケンスを含むかどうかに基づいて前記トランスミッションがユニキャスト要求またはマルチキャスト要求であるかどうかを決定することをさらに備える、Ｃ１２に記載の方法。
［Ｃ１４］
前記トランスミッションがユニキャスト要求であるときに直交パイロットシーケンスのセットのパイロットシーケンスの第１のサブセットからの１つまたは複数のパイロットシーケンスを含み、前記トランスミッションがマルチキャスト要求であるときに直交パイロットシーケンスの前記セットのパイロットシーケンスの第２のサブセットからの１つまたは複数のパイロットシーケンスを含み、パイロットシーケンスの前記第２のサブセットはパイロットシーケンスの前記第１のサブセットと異なり、前記方法は前記受信されたトランスミッションがパイロットシーケンスの前記第１のサブセットまたはパイロットシーケンスの前記第２のサブセットのいずれからの１つまたは複数のパイロットシーケンスを含むかどうかに基づいて前記トランスミッションがユニキャスト要求またはマルチキャストであるかどうかを決定することをさらに備える、Ｃ１２に記載の方法。
［Ｃ１５］
前記ピア発見信号応答はパイロットシーケンスの前記第２のサブセットからの１つまたは複数のパイロットシーケンスと同時並行して送信される、Ｃ１４に記載の方法。
［Ｃ１６］
ピア発見信号要求を受信しピア発見信号応答を送信するためのリソースのセットを決定することをさらに備え、前記トランスミッションはリソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、Ｃ１２に記載の方法。
［Ｃ１７］
前記トランスミッションは前記第１のタイムスロットにおけるリソースの前記セットのリソースの第１のサブセットにおいて受信され、前記方法は、
前記受信されたトランスミッションにおける前記インジケーションに基づいて前記トランスミッションがユニキャスト要求またはマルチキャスト要求であることを前記受信されたトランスミッションがインジケートするかどうかを決定することと、
前記受信されたトランスミッションがユニキャスト要求であるときに前記ピア発見信号応答を送信するための前記第２のタイムスロットにおけるリソースの前記セットのリソースの第２のサブセットを決定することであって、前記ピア発見信号応答は前記トランスミッションがユニキャスト要求であるときにはリソースの前記決定された第２のサブセットにおいて送信され、リソースの前記第２のサブセットはリソースの前記第１のサブセットからリソースの前記第２のサブセットへのアプリオリに知られるマッピングに基づいて決定される、決定することと
をさらに備える、Ｃ１６に記載の方法。
［Ｃ１８］
リソースの前記セットの前記第１のタイムスロットにおけるトランスミッションをリッスンすることと、
ユニキャスト要求である前記第１のタイムスロットにおいて受信されたトランスミッションを決定することと、
ユニキャスト要求のために利用される前記決定されたトランスミッションに対応する前記第１のタイムスロットにおけるリソースのサブセットを決定することと    
をさらに備える、Ｃ１６に記載の方法。
［Ｃ１９］
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定することと、
リソースの前記第２のサブセット内の全リソースを除くリソースの前記セットの前記第２のタイムスロットにおけるリソースの第３のサブセットを決定することと、
前記トランスミッションがマルチキャスト要求であるときには前記ピア発見信号応答を送信するためにリソースの前記第３のサブセットからリソースの第４のサブセットをランダムに選択することであって、前記トランスミッションは前記トランスミッションがマルチキャスト要求であるときにリソースの前記選択された第４のサブセットにおいて送信される、選択することと
をさらに備える、Ｃ１８に記載の方法。
［Ｃ２０］
前記トランスミッションがマルチキャスト要求であるときに前記ピア発見信号応答を送信するために前記第２のタイムスロットにおけるリソースの前記セットのリソースのサブセットをランダムに選択することであって、前記ピア発見信号応答は前記トランスミッションがマルチキャスト要求であるときにリソースの前記選択されたサブセットにおいて送信される、選択することをさらに備える、Ｃ１６に記載の方法。
［Ｃ２１］
リソースの前記セットをインジケートする情報を基地局から受信することをさらに備える、Ｃ１６に記載の方法。
［Ｃ２２］
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、Ｃ２１に記載の方法。
［Ｃ２３］
無線通信のための装置であって、
ピア発見信号を要求しトランスミッションがユニキャスト要求またはマルチキャスト要求を含むかどうかをインジケートする前記トランスミッションを受信するための手段と、
前記受信されたトランスミッションに応答し、前記トランスミッションがユニキャスト要求またはマルチキャスト要求を含むかどうかのインジケーションに基づいて決定されたリソース上でピア発見信号応答を送信するための手段と
を備える、無線通信のための装置。
［Ｃ２４］
前記トランスミッションは、前記トランスミッションがユニキャスト要求であるときには第１のパイロットシーケンスを含み、前記トランスミッションがマルチキャスト要求であるときに第２のパイロットシーケンスを含み、前記第２のパイロットシーケンスは前記第１のパイロットシーケンスと異なり、前記装置は、前記受信されたトランスミッションが前記第１のパイロットシーケンスまたは前記第２のパイロットシーケンスを含むかどうかに基づいて前記トランスミッションがユニキャスト要求またはマルチキャスト要求であるかどうかを決定するための手段をさらに備える、Ｃ２３に記載の装置。
［Ｃ２５］
前記トランスミッションは、前記トランスミッションがユニキャスト要求であるときに直交パイロットシーケンスのセットのパイロットシーケンスの第１のサブセットからの１つまたは複数のパイロットシーケンスを含み、前記トランスミッションがマルチキャスト要求であるときには直交パイロットシーケンスの前記セットのパイロットシーケンスの第２のサブセットからの１つまたは複数のパイロットシーケンスを含み、パイロットシーケンスの前記第２のサブセットはパイロットシーケンスの前記第１のサブセットと異なり、前記装置は、前記受信されたトランスミッションがパイロットシーケンスの前記第１のサブセットからの１つまたは複数のパイロットシーケンスまたはパイロットシーケンスの前記第２のサブセットからの１つまたは複数のパイロットシーケンスを含むかどうかに基づいて前記トランスミッションがユニキャスト要求またはマルチキャスト要求であるかどうかを決定するための手段をさらに備える、Ｃ２３に記載の装置。
［Ｃ２６］
前記ピア発見信号応答はパイロットシーケンスの前記第２のサブセットからの１つまたは複数のパイロットシーケンスと同時並行して受信される、Ｃ２５に記載の装置。
［Ｃ２７］
ピア発見信号要求を受信しピア発見信号応答を送信するためのリソースのセットを決定するための手段をさらに備え、前記トランスミッションは、リソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、Ｃ２３に記載の装置。
［Ｃ２８］
前記トランスミッションは前記第１のタイムスロットにおけるリソースの前記セットのリソースの第１のサブセットにおいて受信され、前記装置は、
前記受信されたトランスミッションが、前記受信されたトランスミッションにおける前記インジケーションに基づいて前記トランスミッションがユニキャスト要求またはマルチキャスト要求であることをインジケートするかどうかを決定するための手段と、
前記受信されたトランスミッションがユニキャスト要求であるときに前記ピア発見信号応答を送信するために前記第２のタイムスロットにおけるリソースの前記セットの第２のサブセットを決定するための手段であって、前記ピア発見信号応答は前記トランスミッションがユニキャスト要求であるときにリソースの前記決定された第２のサブセットにおいて送信され、リソースの前記第２のサブセットはリソースの前記第１のサブセットからリソースの前記第２のサブセットへのアプリオリに知られるマッピングに基づいて決定される、手段と
をさらに備える、Ｃ２７に記載の装置。
［Ｃ２９］
リソースの前記セットの前記第１のタイムスロットにおけるトランスミッションをリッスンするための手段と、
ユニキャスト要求である前記第１のタイムスロットにおいて受信されたトランスミッションを決定するための手段と、
ユニキャスト要求のために利用される前記決定されたトランスミッションに対応する前記第１のタイムスロットにおけるリソースのサブセットを決定するための手段と
をさらに備える、Ｃ２７に記載の装置。
［Ｃ３０］
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定するための手段と、
リソースの前記第２のサブセット内の全リソースを除くリソースの前記セットの前記第２のタイムスロットにおけるリソースの第３のサブセットを決定するための手段と、
前記トランスミッションがマルチキャスト要求であるときに前記ピア発見信号応答を送信するためにリソースの前記第３のサブセットからリソースの第４のサブセットをランダムに選択するための手段であって、前記トランスミッションは、前記トランスミッションがマルチキャスト要求であるときにはリソースの前記選択された第４のサブセットにおいて送信される手段と
をさらに備える、Ｃ２９に記載の装置。
［Ｃ３１］
前記トランスミッションがマルチキャスト要求であるときには前記ピア発見信号応答を送信するために前記第２のタイムスロットにおけるリソースの前記セットのリソースのサブセットをランダムに選択するための手段であって、前記ピア発見信号応答は前記トランスミッションがマルチキャスト要求であるときにリソースの前記選択されたサブセットにおいて送信される、手段をさらに備える、Ｃ２７に記載の装置。
［Ｃ３２］
リソースの前記セットをインジケートする情報を基地局から受信するための手段をさらに備える、Ｃ２７に記載の装置。
［Ｃ３３］
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信するための手段をさらに備え、前記受信される情報は、前記基地局に送信された前記情報に基づく、Ｃ３２に記載の装置。
［Ｃ３４］
無線通信のための装置であって、
メモリと、
前記メモリに結合され、
ピア発見信号を要求するもので、トランスミッションがユニキャスト要求またはマルチキャスト要求を含むかどうかをインジケートする前記トランスミッションを受信し、
前記受信されたトランスミッションに応答し、前記トランスミッションがユニキャスト要求またはマルチキャスト要求であるかどうかのインジケーションに基づいて決定されたリソース上でピア発見信号応答を送信するように構成された少なくとも１つのプロセッサと、を備える、無線通信のための装置。
［Ｃ３５］
ピア発見信号を要求するもので、トランスミッションがユニキャスト要求またはマルチキャスト要求を含むかどうかをインジケートする前記トランスミッションを受信し、
前記受信されたトランスミッションに応答し、前記トランスミッションがユニキャスト要求またはマルチキャスト要求であるかどうかのインジケーションに基づいて決定されたリソース上でピア発見信号応答を送信するためのコードを備える、コンピュータ可読媒体。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
無線通信方法であって、
ピア発見信号を要求しトランスミッションがユニキャスト要求またはマルチキャスト要求を含むかどうかをインジケートする前記トランスミッションを送信することであって、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、送信することと、
前記トランスミッションに基づいて少なくとも１つのピア発見信号応答を受信することと
を備える、無線通信方法。
【請求項２】
ピア発見信号要求を送信しピア発見信号応答を受信するためのリソースのセットを決定することをさらに備え、前記トランスミッションはリソースの前記セットの第１のタイムスロットにおいて送信され、前記少なくとも１つのピア発見信号応答はリソースの前記セットの第２のタイムスロットにおいて受信され、前記第２のタイムスロットはピア発見信号要求を送信しピア発見信号応答を受信するための前記第１のタイムスロット後における次の利用可能なタイムスロットである、請求項１に記載の方法。
【請求項３】
前記トランスミッションがユニキャスト要求であるときに前記少なくとも１つのピア発見信号応答を受信するための前記第２のタイムスロットにおけるリソースの前記セットのリソースのサブセットを決定することであって、リソースの前記サブセットは前記トランスミッションを送信するために利用されるリソースからのアプリオリに知られるマッピングに基づいて決定され、前記少なくとも１つのピア発見信号応答は前記トランスミッションがユニキャスト要求であるときにリソースの前記決定されたサブセットにおいて受信される、決定することをさらに備える、請求項２に記載の方法。
【請求項４】
リソースの前記セットの第３のタイムスロットにおけるトランスミッションをリッスンすることであって、前記第３のタイムスロットはピア発見信号要求を送信しピア発見信号応答を受信するために利用可能である前記第１のタイムスロット前における利用可能なタイムスロットである、リンスンすることと、
ユニキャスト要求である前記第３のタイムスロットにおいて受信されたトランスミッションを決定することと、
ユニキャスト要求のために利用される前記決定されたトランスミッションに対応する前記第３のタイムスロットにおけるリソースのサブセットを決定することと
をさらに備える、請求項２に記載の方法。
【請求項５】
前記第３のタイムスロットにおけるリソースの前記サブセットから前記第１のタイムスロットにおけるリソースの第２のサブセットへのアプリオリに知られるマッピングに基づいて前記第１のタイムスロットにおけるリソースの前記第２のサブセットを決定することと、
リソースの前記第２のサブセット内の全リソースを除くリソースの前記セットの前記第１のタイムスロットにおけるリソースの第３のサブセットを決定することと、
前記トランスミッションを送信するためにリソースの第３のサブセットからリソースの第４のサブセットをランダムに選択することであって、前記トランスミッションはリソースの前記選択された第４のサブセットにおいて送信される、選択することと
をさらに備える、請求項４に記載の方法。
【請求項６】
前記トランスミッションを送信するために前記第１のタイムスロットにおけるリソースの前記セットのリソースのサブセットをランダムに選択することであって、前記トランスミッションは、リソースの前記選択されたサブセットにおいて送信される、請求項２に記載の方法。
【請求項７】
リソースの前記セットをインジケートする情報を基地局から受信することをさらに備える、請求項２に記載の方法。
【請求項８】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項７に記載の方法。
【請求項９】
無線通信方法であって、
ピア発見信号を要求するトランスミッションを受信することであって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信することと、
前記受信されたトランスミッションに応答して、前記インジケーションに基づいて決定されたリソース上でピア発見信号応答を送信することと
を備える、無線通信方法。
【請求項１０】
ピア発見信号要求を受信しピア発見信号応答を送信するためのリソースのセットを決定することをさらに備え、前記トランスミッションはリソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項９に記載の方法。
【請求項１１】
前記トランスミッションは前記第１のタイムスロットにおけるリソースの前記セットのリソースの第１のサブセットにおいて受信され、前記方法は、
前記受信されたトランスミッションにおける前記インジケーションに基づいて前記トランスミッションがユニキャスト要求またはマルチキャスト要求であることを前記受信されたトランスミッションがインジケートするかどうかを決定することと、
前記受信されたトランスミッションがユニキャスト要求であるときに前記ピア発見信号応答を送信するための前記第２のタイムスロットにおけるリソースの前記セットのリソースの第２のサブセットを決定することであって、前記ピア発見信号応答は前記トランスミッションがユニキャスト要求であるときにはリソースの前記決定された第２のサブセットにおいて送信され、リソースの前記第２のサブセットはリソースの前記第１のサブセットからリソースの前記第２のサブセットへのアプリオリに知られるマッピングに基づいて決定される、決定することと
をさらに備える、請求項１０に記載の方法。
【請求項１２】
リソースの前記セットの前記第１のタイムスロットにおけるトランスミッションをリッスンすることと、
ユニキャスト要求である前記第１のタイムスロットにおいて受信されたトランスミッションを決定することと、
ユニキャスト要求のために利用される前記決定されたトランスミッションに対応する前記第１のタイムスロットにおけるリソースのサブセットを決定することと
をさらに備える、請求項１０に記載の方法。
【請求項１３】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定することと、
リソースの前記第２のサブセット内の全リソースを除くリソースの前記セットの前記第２のタイムスロットにおけるリソースの第３のサブセットを決定することと、
前記トランスミッションがマルチキャスト要求であるときには前記ピア発見信号応答を送信するためにリソースの前記第３のサブセットからリソースの第４のサブセットをランダムに選択することであって、前記トランスミッションは前記トランスミッションがマルチキャスト要求であるときにリソースの前記選択された第４のサブセットにおいて送信される、選択することと
をさらに備える、請求項１２に記載の方法。
【請求項１４】
前記トランスミッションがマルチキャスト要求であるときに前記ピア発見信号応答を送信するために前記第２のタイムスロットにおけるリソースの前記セットのリソースのサブセットをランダムに選択することであって、前記ピア発見信号応答は前記トランスミッションがマルチキャスト要求であるときにリソースの前記選択されたサブセットにおいて送信される、選択することをさらに備える、請求項１０に記載の方法。
【請求項１５】
リソースの前記セットをインジケートする情報を基地局から受信することをさらに備える、請求項１０に記載の方法。
【請求項１６】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項１５に記載の方法。
【請求項１７】
無線通信のための装置であって、
ピア発見信号を要求するトランスミッションを受信するための手段であって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信するための手段と、
前記受信されたトランスミッションに応答し、前記インジケーションに基づいて決定されたリソース上でピア発見信号応答を送信するための手段と
を備える、無線通信のための装置。
【請求項１８】
ピア発見信号要求を受信しピア発見信号応答を送信するためのリソースのセットを決定するための手段をさらに備え、前記トランスミッションは、リソースの前記セットの第１のタイムスロットにおいて受信され、前記ピア発見信号応答はリソースの前記セットの第２のタイムスロットにおいて送信され、前記第２のタイムスロットはピア発見信号要求を受信しピア発見信号応答を送信するための前記第１のタイムスロット後における次の利用可能なタイムスロットである、請求項１７に記載の装置。
【請求項１９】
前記トランスミッションは前記第１のタイムスロットにおけるリソースの前記セットのリソースの第１のサブセットにおいて受信され、前記装置は、
前記受信されたトランスミッションが、前記受信されたトランスミッションにおける前記インジケーションに基づいて前記トランスミッションがユニキャスト要求またはマルチキャスト要求であることをインジケートするかどうかを決定するための手段と、
前記受信されたトランスミッションがユニキャスト要求であるときに前記ピア発見信号応答を送信するために前記第２のタイムスロットにおけるリソースの前記セットの第２のサブセットを決定するための手段であって、前記ピア発見信号応答は前記トランスミッションがユニキャスト要求であるときにリソースの前記決定された第２のサブセットにおいて送信され、リソースの前記第２のサブセットはリソースの前記第１のサブセットからリソースの前記第２のサブセットへのアプリオリに知られるマッピングに基づいて決定される、手段と
をさらに備える、請求項１８に記載の装置。
【請求項２０】
リソースの前記セットの前記第１のタイムスロットにおけるトランスミッションをリッスンするための手段と、
ユニキャスト要求である前記第１のタイムスロットにおいて受信されたトランスミッションを決定するための手段と、
ユニキャスト要求のために利用される前記決定されたトランスミッションに対応する前記第１のタイムスロットにおけるリソースのサブセットを決定するための手段と
をさらに備える、請求項１８に記載の装置。
【請求項２１】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定するための手段と、
リソースの前記第２のサブセット内の全リソースを除くリソースの前記セットの前記第２のタイムスロットにおけるリソースの第３のサブセットを決定するための手段と、
前記トランスミッションがマルチキャスト要求であるときに前記ピア発見信号応答を送信するためにリソースの前記第３のサブセットからリソースの第４のサブセットをランダムに選択するための手段であって、前記トランスミッションは、前記トランスミッションがマルチキャスト要求であるときにはリソースの前記選択された第４のサブセットにおいて送信される手段と
をさらに備える、請求項２０に記載の装置。
【請求項２２】
前記トランスミッションがマルチキャスト要求であるときには前記ピア発見信号応答を送信するために前記第２のタイムスロットにおけるリソースの前記セットのリソースのサブセットをランダムに選択するための手段であって、前記ピア発見信号応答は前記トランスミッションがマルチキャスト要求であるときにリソースの前記選択されたサブセットにおいて送信される、手段をさらに備える、請求項１８に記載の装置。
【請求項２３】
リソースの前記セットをインジケートする情報を基地局から受信するための手段をさらに備える、請求項１８に記載の装置。
【請求項２４】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信するための手段をさらに備え、前記受信される情報は、前記基地局に送信された前記情報に基づく、請求項２３に記載の装置。
【請求項２５】
無線通信のための装置であって、
メモリと、
前記メモリに結合され、
ピア発見信号を要求するトランスミッションを受信し、ここにおいて、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、
前記受信されたトランスミッションに応答し、前記インジケーションに基づいて決定されたリソース上でピア発見信号応答を送信するように構成された少なくとも１つのプロセッサと、を備える、無線通信のための装置。
【請求項２６】
無線通信のためのコンピュータ実行可能なコードを記憶したコンピュータ可読媒体であって、
ピア発見信号を要求するトランスミッションを受信するためのコードであって、前記受信されたトランスミッションは前記トランスミッションがユニキャスト要求またはマルチキャスト要求を含むかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信するためのコードと、
前記受信されたトランスミッションに応答し、前記インジケーションに基づいて決定されたリソース上でピア発見信号応答を送信するためのコードを備える、コンピュータ可読媒体。
【国際調査報告】
2016538738.tif 000014
2016538738.tif 000015
2016538738.tif 000016